(57)【要約】  電圧が供給されるライン（例えばソースライン）上の電圧を実質的に所望の電圧にすることができる電圧供給装置、及び画像表示装置を提供するため、ソースライン（Ｌ１２）、ソースライン（Ｌ１２）と隣り合うソースライン（Ｌ１３）、及びソースライン（Ｌ１２）及び（Ｌ１３）に供給する電圧を生成する電圧生成手段を有する電圧供給装置であって、上記電圧生成手段が、ソースラインＬ１２用の駆動電圧（ｖ１２）を表す画素データ（Ｄ１２）と、ソースラインＬ１３用の駆動電圧（ｖ１３）を表す画素データ（Ｄ１３）とを受け取り、受け取った画素データ（Ｄ１２）及び（Ｄ１３）を用いて、駆動電圧（ｖ１２）とは異なる補正電圧（ｖ１２−Δｖ３）を生成し、上記電圧供給装置が、補正電圧（ｖ１２−Δｖ３）をソースライン（Ｌ１２）に供給する。
2007523377.tif 000002
【特許請求の範囲】
【請求項１】
第１のライン、
前記第１のラインと隣り合う第２のライン、及び
前記第１及び第２のラインに供給する電圧を生成する電圧生成手段、
を有する電圧供給装置であって、
前記電圧生成手段が、前記第１のライン用の第１の電圧を表す第１のデータと、前記第  ２のライン用の第２の電圧を表す第２のデータとを受け取り、前記受け取った第１及び第２のデータを用いて、前記第１の電圧とは異なる補正電圧を生成し、
前記電圧供給装置が、前記補正電圧を前記第１のラインに供給する電圧供給装置。
【請求項２】
前記電圧生成手段が、
前記第１のデータと前記第２のデータとを用いて、前記補正電圧を表す補正データを生成する第１の補正手段、及び
前記補正データを前記補正電圧に変換する第１の変換手段、
を有する請求項１に記載の電圧供給装置。
【請求項３】
前記第１の補正手段が、前記第２のデータを用いて前記第１のデータのデータ補正量を求め、前記データ補正量を用いて前記第１のデータを補正することにより、前記補正データを生成する請求項２に記載の電圧供給装置。
【請求項４】
前記電圧供給装置が、前記第２のラインとは反対側で前記第１のラインと隣り合う第３のラインを有し、
前記電圧生成手段が、前記第３のライン用の第３の電圧を表す第３のデータも受け取り、前記受け取った第１、第２及び第３のデータを用いて、前記補正電圧を生成する請求項１に記載の電圧供給装置。
【請求項５】
前記電圧生成手段が、
前記第１のデータと前記第２のデータとを用いて、前記補正電圧を表す補正データを生成する第１の補正手段、及び
前記補正データを前記補正電圧に変換する第１の変換手段、
を有する請求項４に記載の電圧供給装置。
【請求項６】
前記第１の補正手段が、前記第１、第２及び第３のデータを用いて、前記補正データを生成する請求項５に記載の電圧供給装置。
【請求項７】
前記第１の補正手段が、前記第２及び第３のデータを用いて前記第１のデータのデータ補正量を求め、前記データ補正量を用いて前記第１のデータを補正することにより、前記補正データを生成する請求項５に記載の電圧供給装置。
【請求項８】
前記電圧生成手段が、
前記第１及び第２のデータを、それぞれ前記第１及び第２の電圧に変換する第２の変換手段、及び
前記第１及び第２の電圧を用いて、前記補正電圧を生成する第２の補正手段、
を有する請求項１に記載の電圧供給装置。
【請求項９】
前記第２の補正手段が、前記第２の電圧を用いて前記第１の電圧を補正することにより、前記補正電圧を生成する請求項８に記載の電圧供給装置。
【請求項１０】
前記電圧供給装置が、前記第２のラインとは反対側で前記第１のラインと隣り合う第３のラインを有し、
前記電圧生成手段が、前記第３のライン用の第３の電圧を表す第３のデータも受け取り、
前記第２の変換手段が、前記受け取った第３のデータを前記第３の電圧に変換し、
前記第２の補正手段が、前記第１、第２及び第３の電圧を用いて前記補正電圧を生成する請求項８に記載の電圧供給装置。
【請求項１１】
前記第２の補正手段が、前記第２及び第３の電圧を用いて前記第１の電圧を補正することにより、前記補正電圧を生成する請求項１０に記載の電圧供給装置。
【請求項１２】
請求項１乃至１１のうちのいずれか１項に記載の電圧供給装置を有する画像表示装置。
【発明の詳細な説明】
【技術分野】
【０００１】
本発明は、第１のライン、前記第１のラインと隣り合う第２のライン、及び第１及び第２のラインに供給する電圧を生成する電圧生成手段を有する電圧供給装置に関する。
【０００２】
本発明は、斯かる電圧供給装置を有する画像表示装置にも関する。
【背景技術】
【０００３】
低温ポリシリコン（ＬＴＰＳ）を用いたＴＦＴにより、１本のビデオラインと複数のソースラインの各々との接続を順次に切り替える手段をガラス基板上に設けることが実用化のレベルで可能になっている。１本のビデオラインから複数のソースラインに電圧を供給することによって、携帯電話などのモバイル機器を更に小型とすることが可能となる等の利点がある。
【発明の開示】
【発明が解決しようとする課題】
【０００４】
しかしながら、１本のビデオラインと複数のソースラインの各々との接続を順次に切り替える場合、隣接するソースライン間で生じるクロストークによって、ソースライン上の電圧が変動する場合がある。この場合、ソースラインに所望の電圧が供給されても、斯かる電圧の変動が生じることによって、ソースライン上の電圧レベルが所望の電圧レベルからずれてしまい、画像の劣化が生じるという恐れがある。
【０００５】
本発明は、上記の事情に鑑み、電圧が供給されるライン（例えばソースライン）上の電圧を実質的に所望の電圧にすることができる電圧供給装置、及び画像表示装置を提供することを目的とする。
【課題を解決するための手段】
【０００６】
上記目的を達成する本発明の電圧供給装置は、第１のライン、上記第１のラインと隣り合う第２のライン、及び上記第１及び第２のラインに供給する電圧を生成する電圧生成手段を有する電圧供給装置であって、上記電圧生成手段が、上記第１のライン用の第１の電圧を表す第１のデータと、上記第２のライン用の第２の電圧を表す第２のデータとを受け取り、上記受け取った第１及び第２のデータを用いて、上記第１の電圧とは異なる補正電圧を生成し、上記電圧供給装置が、上記補正電圧を上記第１のラインに供給する。
【０００７】
本発明では、第１のデータが表す第１の電圧をそのまま第１のラインに供給するのではなく、第１及び第２のデータを用いて補正電圧を生成し、この補正電圧を第１のラインに供給している。斯かる補正電圧を第１のラインに供給することによって、最終的には第１のライン上の電圧を実質的に所望の電圧にすることが可能となる。
【０００８】
ここで、本発明の電圧供給装置は、上記電圧生成手段が、上記第１のデータと上記第２のデータとを用いて、上記補正電圧を表す補正データを生成する第１の補正手段、及び上記補正データを上記補正電圧に変換する第１の変換手段を有することができる。この場合、上記第１の補正手段を、上記第２のデータを用いて上記第１のデータのデータ補正量を求め、上記データ補正量を用いて上記第１のデータを補正することにより、上記補正データを生成するように構成することができる。
【０００９】
ここで、本発明の電圧供給装置は、上記電圧供給装置が、上記第２のラインとは反対側で上記第１のラインと隣り合う第３のラインを有し、上記電圧生成手段が、上記第３のライン用の第３の電圧を表す第３のデータも受け取り、上記受け取った第１、第２及び第３のデータを用いて、上記補正電圧を生成することができる。
【００１０】
第１のラインが第２のラインだけではなく第３のラインにも隣り合っている場合は、第３のデータも用いて補正電圧を生成することにより、補正電圧をより最適な電圧にすることができる。この場合、第１、第２及び第３のデータを用いて補正電圧を表す補正データを生成することができ、更に、第２及び第３のデータを用いて第１のデータのデータ補正量を求めることができる。
【００１１】
また、本発明の電圧供給装置は、上記電圧生成手段が、上記第１及び第２のデータを、それぞれ上記第１及び第２の電圧に変換する第２の変換手段、及び上記第１及び第２の電圧を用いて、上記補正電圧を生成する第２の補正手段を有することができる。この場合、上記第２の補正手段が、上記第２の電圧を用いて上記第１の電圧を補正することにより、上記補正電圧を生成するように構成することができる。
【００１２】
ここで、本発明の電圧供給装置は、上記電圧供給装置が、上記第２のラインとは反対側で上記第１のラインと隣り合う第３のラインを有し、上記電圧生成手段が、上記第３のライン用の第３の電圧を表す第３のデータも受け取り、上記第２の変換手段が、上記受け取った第３のデータを上記第３の電圧に変換し、上記第２の補正手段が、上記第１、第２及び第３の電圧を用いて上記補正電圧を生成することができる。
【００１３】
第１のラインが第２のラインだけではなく第３のラインにも隣り合っている場合は、第３の電圧も用いて補正電圧を生成することにより、補正電圧をより最適な電圧にすることができる。この場合、上記第２の補正手段が、上記第２及び第３の電圧を用いて上記第１の電圧を補正することにより、上記補正電圧を生成することができる。
【発明を実施するための最良の形態】
【００１４】
以下では、画像表示装置を取り上げて本発明を説明するが、本発明は画像表示装置以外の装置にも適用できることに注意されたい。
【００１５】
図１は、本発明の第１実施例の画像表示装置１を示す概略図である。
【００１６】
図１には、画像表示装置１のガラス基板２側の構造とプリント基板３側の構造が概略的に示されている。ガラス基板２側には、電子回路部４、３本の選択ラインＬslct１、Ｌslct２及びＬslct３、ｍ本のビデオラインＬｖ１、Ｌｖ２、…、Ｌｖｍ並びにソースドライバ５等が備えられている。プリント基板３側には、信号処理部８等が備えられている。ガラス基板２上の電子回路部４は、行列状に配された画素電極Ｅａ、Ｅｂ、…を有する。これら画素電極Ｅａ、Ｅｂ、…の間には、ｎ本のゲートラインＬｇ１、Ｌｇ２、…、Ｌｇｎと、３本のソースラインからなるｍ個のソースライン群Ｇ１、Ｇ２、…、Ｇｍが延在している。ソースライン群Ｇ１は３本のソースラインＬ１１、Ｌ１２及びＬ１３からなる。以下、同様に、ソースライン群Ｇ２は３本のソースラインＬ２１、Ｌ２２及びＬ２３からなり、ソースライン群Ｇｍは３本のソースラインＬｍ１、Ｌｍ２及びＬｍ３からなる。また、電子回路部４は、各画素電極Ｅａ、Ｅｂ、…に対応してＴＦＴを有する。ＴＦＴは、ゲートラインＬｇ１、Ｌｇ２、…、Ｌｇｎから供給される電圧によって、選択的にオン状態及びオフ状態に設定され、オン状態のＴＦＴを通じてソースラインからの電圧が画素電極に供給される。また、ガラス基板２上には、ｍ個のソースライン群Ｇ１、Ｇ２、…、Ｇｍに対応してｍ本のビデオラインＬｖ１、Ｌｖ２、…、Ｌｖｍが形成されている。１つのソースライン群は３本のソースラインを有しているので、１本のビデオラインは、３本のソースラインに対応して設けられている。ビデオラインＬｖ１、Ｌｖ２、…、Ｌｖｍと、ソースライン群Ｇ１、Ｇ２、・・・、Ｇｍとの間には、３つのトランジスタからなるスイッチ群ＳＷ１、ＳＷ２、…、ＳＷｍが備えられている。スイッチ群ＳＷ１は、３つのトランジスタ（例えば、薄膜トランジスタ）Ｔ１１、Ｔ１２及びＴ１３からなる。以下同様に、スイッチ群ＳＷ２は、３つのトランジスタＴ２１、Ｔ２２及びＴ２３からなり、スイッチ群ＳＷｍは、３つのトランジスタＴｍ１、Ｔｍ２及びＴｍ３からなる。トランジスタＴ１１、Ｔ２１、…、Ｔｍ１は、選択ラインＬslct１から供給される電圧によって選択的にオン状態及びオフ状態に設定される。以下、同様に、トランジスタＴ１２、Ｔ２２、…、Ｔｍ２は選択ラインＬslct２から供給される電圧によって、トランジスタＴ１３、Ｔ２３、…、Ｔｍ３は、選択ラインＬslct３から供給される電圧によって選択的にオン状態及びオフ状態に設定される。ビデオラインＬｖ１は、トランジスタＴ１１、Ｔ１２及びＴ１３がオン状態のとき、それぞれソースラインＬ１１、Ｌ１２及びＬ１３に電気的に接続され、トランジスタＴ１１、Ｔ１２及びＴ１３がオフ状態のとき、ソースラインＬ１１、Ｌ１２及びＬ１３から電気的に切り離される。他のビデオラインＬｖ２、…、Ｌｖｍも同様である。
【００１７】
また、プリント基板３に設けられた信号処理部８は、多数の画素データを有する画像信号Ｓｐを受け取り、隣接するソースライン間で生じるクロストークによる画像劣化を防止又は低減する目的で、この受け取った画像信号Ｓｐを補正する。この補正された画像信号Ｓｐ’はソースドライバ５に出力され、ソースドライバ５は、補正された画像信号Ｓｐ’に基づいて、各ビデオラインＬｖ１、Ｌｖ２、…、Ｌｖｍに電圧を供給する。ビデオラインＬｖ１、Ｌｖ２、…、Ｌｖｍに供給された電圧は、対応するソースラインを通じて画素電極に供給される。
【００１８】
上記のように、信号処理部８は、隣接するソースライン間で生じるクロストークによる画像劣化を防止又は低減する目的で、受け取った画像信号Ｓｐを補正していることに注意されたい。図１に示す画像表示装置１では、ソースドライバ５は、この補正された画像信号Ｓｐ’に従って各ビデオラインＬｖ１乃至Ｌｖｍに電圧を出力するので、隣接するソースライン間で生じるクロストークによる画像劣化を防止又は低減することができる。これに対して、もし、画像表示装置１が画像信号Ｓｐを補正せず、この画像信号Ｓｐをそのままソースドライバ５に供給すると、隣接するソースライン間で生じるクロストークにより画像劣化が生じる。この画像劣化が生じる理由を説明するために、画像信号Ｓｐを補正しない構成の画像表示装置の動作について以下に考察する。
【００１９】
図２は、画像信号Ｓｐを補正しない構成の画像表示装置１０１を示す概略図である。
【００２０】
図２に示す画像表示装置１０１は、画像信号Ｓｐが補正されずにそのままソースドライバ５に供給される点を除けば、図１に示す画像表示装置１と同じ構成である。
【００２１】
図３は、図２に示す画像表示装置１０１のタイミングチャートを示す。
【００２２】
図３には、画像表示装置１０１が有するｎ本のゲートラインのうち、ゲートラインＬｇ２にハイレベル電圧ＶgＨが供給されている間のタイミングチャートが示されている。ゲートラインＬｇ２に電圧ＶgＨが供給されている間に、３本の選択ラインＬslct１、Ｌslct２及びＬslct３は、ハイレベル電圧ＶsＨ及びローレベル電圧ＶsＬが供給される。時刻ｔ１乃至ｔ２の間は選択ラインＬslct１にハイレベル電圧ＶsＨが供給され、時刻ｔ２乃至ｔ３の間は選択ラインＬslct２にハイレベル電圧ＶsＨが供給され、時刻ｔ３乃至ｔ４の間は選択ラインＬslct３にハイレベル電圧ＶsＨが供給される。このように、選択ラインＬslct１、Ｌslct２及びＬslct３には、ハイレベル電圧ＶsＨが順番に供給される。電圧ＶsＨにより、各スイッチ群ＳＷ１乃至ＳＷｍのトランジスタはオン状態になり、電圧ＶsＬにより、各スイッチ群ＳＷ１乃至ＳＷｍのトランジスタはオフ状態になる。従って、例えば、スイッチ群ＳＷ１の３つのトランジスタＴ１１、Ｔ１２及びＴ１３は、トランジスタＴ１１、Ｔ１２及びＴ１３の順にオン状態になる。その他のスイッチ群ＳＷ２乃至ＳＷｍの３つのトランジスタも順番にオン状態になる。従って、選択ラインＬslct１上の電圧がハイレベル電圧ＶsＨの間（ｔ１乃至ｔ２）、ソースラインＬ１１、Ｌ２１、…、Ｌｍ１は、対応するビデオラインに接続された状態（以下、「ローインピーダンス状態ＬＩ」という）であるが、残りのソースラインは、対応するビデオラインから切り離された状態（以下、「ハイインピーダンス状態ＨＩ」という）である。また、選択ラインＬslct２の上の電圧がハイレベル電圧ＶsＨの間（ｔ２乃至ｔ３）、ソースラインＬ１２、Ｌ２２、…、Ｌｍ２はローインピーダンス状態ＬＩであるが、その他のソースラインはハイインピーダンス状態ＨＩである。更に、選択ラインＬslct３の上の電圧がハイレベル電圧ＶsＨの間（ｔ３乃至ｔ４）、ソースラインＬ１３、Ｌ２３、…、Ｌｍ３はローインピーダンス状態ＬＩであるが、その他のソースラインはハイインピーダンス状態ＨＩである。図３には、代表して、隣接する２つのソースライン群Ｇ１及びＧ２（即ち、６本のソースラインＬ１１乃至Ｌ２３）の状態変化が示されている。図２に示す画像表示装置１０１は、どのソースライン群Ｇ１乃至Ｇｍにも同じやり方で電圧を供給するので、以下では、代表して、２つのソースライン群Ｇ１及びＧ２にどのようにして電圧が供給されるかについて説明する。
【００２３】
ソースドライバ５は、予め、各ソースラインに、一斉にプリチャージ電圧ｖpreを供給する。このプリチャージ電圧ｖpreは、種々の値に設定することができるが、ここでは、ゼロ電圧とする。このように各ソースラインにプリチャージ電圧ｖpre（電圧ゼロ）を供給した後、先ず、ソースラインＬ１１及びＬ２１がローインピーダンス状態ＬＩ（時刻ｔ１乃至ｔ２）となる。一方、ソースドライバ５は、駆動電圧ｖ１１及びｖ２１を表す画素データＤ１１及びＤ２１を受け取り、この画素データＤ１１及びＤ２１をＤＡ変換し、駆動電圧ｖ１１及びｖ２１をそれぞれビデオラインＬｖ１及びＬｖ２に出力する。駆動電圧ｖ１１及びｖ２１は、それぞれソースラインＬ１１及びＬ２１を通じて画素電極Ｅｆ及びＥｉに供給されるべき電圧である。時刻ｔ１乃至ｔ２の間は、ソースラインＬ１１及びＬ２１がローインピーダンス状態ＬＩであるので、駆動電圧ｖ１１及びｖ２１は、それぞれソースラインＬ１１及びＬ２１に供給される。従って、ソースラインＬ１１上の電圧Ｖ１１(t)は、時刻ｔ１において、プリチャージ電圧ｖpreから駆動電圧ｖ１１に変化し、一方、ソースラインＬ２１上の電圧Ｖ２１(t)は、時刻ｔ１において、プリチャージ電圧ｖpreから駆動電圧ｖ２１に変化する。
【００２４】
次に、ソースラインＬ１２及びＬ２２がローインピーダンス状態ＬＩ（時刻ｔ２乃至ｔ３）となる。一方、ソースドライバ５は、駆動電圧ｖ１２及びｖ２２を表す画素データＤ１２及びＤ２２を受け取ってＤＡ変換し、駆動電圧ｖ１２及びｖ２２をそれぞれビデオラインＬｖ１及びＬｖ２に出力する。駆動電圧ｖ１２及びｖ２２は、それぞれソースラインＬ１２及びＬ２２を通じて画素電極Ｅｇ及びＥｊに供給されるべき電圧である。時刻ｔ２乃至ｔ３の間は、ソースラインＬ１２及びＬ２２がローインピーダンス状態ＬＩであるので、駆動電圧ｖ１２及びｖ２２は、それぞれソースラインＬ１２及びＬ２２に供給される。従って、ソースラインＬ１２上の電圧Ｖ１２(t)は、時刻ｔ２において、プリチャージ電圧ｖpreから駆動電圧ｖ１２に変化し、ソースラインＬ２２上の電圧Ｖ２２(t)は、時刻ｔ２において、プリチャージ電圧ｖpreから駆動電圧ｖ２２に変化する。
【００２５】
次に、ソースラインＬ１３及びＬ２３がローインピーダンス状態ＬＩ（時刻ｔ３乃至ｔ４）となる。一方、ソースドライバ５は、駆動電圧ｖ１３及びｖ２３を表す画素データＤ１３及びＤ２３を受け取り、この画素データＤ１３及びＤ２３をＤＡ変換し、駆動電圧ｖ１３及びｖ２３をそれぞれビデオラインＬｖ１及びＬｖ２に出力する。駆動電圧ｖ１３及びｖ２３は、それぞれソースラインＬ１３及びＬ２３を通じて画素電極Ｅｈ及びＥｋに供給されるべき電圧である。時刻ｔ３乃至ｔ４の間は、ソースラインＬ１３及びＬ２３がローインピーダンス状態ＬＩであるので、駆動電圧ｖ１３及びｖ２３は、それぞれソースラインＬ１３及びＬ２３に供給される。従って、ソースラインＬ１３上の電圧Ｖ１３(t)は、時刻ｔ３において、プリチャージ電圧ｖpreから駆動電圧ｖ１３に変化し、ソースラインＬ２３上の電圧Ｖ２３(t)は、時刻ｔ３において、プリチャージ電圧ｖpreから駆動電圧ｖ２３に変化する。
【００２６】
以上のようにして、各ソースラインに電圧が供給されるのであるが、ここで、ソースライン群Ｇ１に属しているソースラインＬ１１及びＬ１２上の電圧Ｖ１１(t)及びＶ１２(t)について考察する。
【００２７】
ソースドライバ５は、時刻ｔ１乃至ｔ２の間に、ビデオラインＬｖ１を通じてソースラインＬ１１に駆動電圧ｖ１１を供給するので、ソースラインＬ１１上の電圧Ｖ１１(t)は、Ｖ１１(t)＝ｖ１１になる。次に、ソースドライバ５は、ソースラインＬ１２に駆動電圧ｖ１２を供給する目的で、時刻ｔ２乃至ｔ３の間に、ビデオラインＬｖ１に駆動電圧ｖ１２を出力する。時刻ｔ２において、ソースラインＬ１２はハイインピーダンス状態ＨＩからローインピーダンス状態ＬＩに変化するので、駆動電圧ｖ１２はソースラインＬ１２に供給され、ソースラインＬ１２上の電圧Ｖ１２(t)は、Ｖ１２(t)＝ｖ１２となる。ここで、駆動電圧ｖ１２はソースラインＬ１２用の電圧であるので、この駆動電圧ｖ１２が隣りのソースラインＬ１１に供給されないようにする必要がある。この目的のため、時刻ｔ２において、ソースラインＬ１１はローインピーダンス状態ＬＩからハイインピーダンス状態ＨＩに変化する。従って、ソースラインＬ１１に駆動電圧ｖ１２が供給されることが防止される。ただし、時刻ｔ２乃至ｔ３の間、ソースラインＬ１２がローインピーダンス状態ＬＩであるのに対して、ソースラインＬ１１はハイインピーダンス状態ＨＩであることに注意されたい。これは、ソースラインＬ１１が、ビデオラインＬｖ１から電気的に切り離されていることを意味するので、ビデオラインＬｖ１からソースラインＬ１１への電圧供給は停止されている。従って、ソースラインＬ１１上の電圧Ｖ１１(t)は、ソースラインＬ１１とＬ１２との間のクロストークＣＴ１によって変動する。ソースラインＬ１２上の電圧Ｖ１２(t)は、時刻ｔ２おいて、プリチャージ電圧ｖpre（電圧ゼロ）から駆動電圧ｖ１２に変化するので、この電圧Ｖ１２(t)は、時刻ｔ２において電圧変化量ｖ１２（＝ｖ１２−ｖpre）だけ変化する。従って、ソースラインＬ１１上の電圧Ｖ１１(t)は、時刻ｔ２において、ソースラインＬ１２上の電圧変化量ｖ１２に依存した電圧変動量Δｖ１だけ変動する。
【００２８】
従って、ソースラインＬ１１上の電圧Ｖ１１(t)は、最初は所望の駆動電圧ｖ１１であったが、クロストークＣＴ１によってソースラインＬ１２上の電圧変化の影響を受けて電圧ｖ１１+Δｖ１に変動する。
【００２９】
更に、ソースドライバ５は、ソースラインＬ１３に駆動電圧ｖ１３を供給する目的で、時刻ｔ３乃至ｔ４の間に、ビデオラインＬｖ１に駆動電圧ｖ１３を出力する。時刻ｔ３において、ソースラインＬ１３はハイインピーダンス状態ＨＩからローインピーダンス状態ＬＩに変化するので、駆動電圧ｖ１３はソースラインＬ１３に供給され、ソースラインＬ１３上の電圧Ｖ１３(t)は、Ｖ１３(t)＝ｖ１３となる。また、駆動電圧ｖ１３はソースラインＬ１３用の電圧であるので、この駆動電圧ｖ１３がソースラインＬ１２に供給されないようにする必要がある。この目的のため、時刻ｔ３において、ソースラインＬ１２はローインピーダンス状態ＬＩからハイインピーダンス状態ＨＩに変化しており、この結果、ソースラインＬ１２には駆動電圧ｖ１３が供給されることが防止される。ただし、時刻ｔ３乃至ｔ４の間、ソースラインＬ１３がローインピーダンス状態ＬＩであるのに対して、ソースラインＬ１２はハイインピーダンス状態ＨＩであることに注意されたい。これは、ソースラインＬ１２が、ビデオラインＬｖ１から電気的に切り離されていることを意味するので、ビデオラインＬｖ１からソースラインＬ１２への電圧供給は停止されている。従って、ソースラインＬ１２上の電圧Ｖ１２(t)は、ソースラインＬ１２とＬ１３との間のクロストークＣＴ３によって変動する。ソースラインＬ１３の電圧Ｖ１３(t)は、時刻ｔ３おいて、プリチャージ電圧ｖpre（電圧ゼロ）から駆動電圧ｖ１３に変化するので、この電圧Ｖ１３(t)は、時刻ｔ３において電圧変化量ｖ１３（＝ｖ１３−ｖpre）だけ変化する。従って、ソースラインＬ１２上の電圧Ｖ１２(t)は、時刻ｔ３において、クロストークＣＴ３によってソースラインＬ１３上の電圧変化量ｖ１３に依存した電圧変動量Δｖ３だけ変動する。
【００３０】
従って、ソースラインＬ１２上の電圧Ｖ１２(t)は、最初は所望の駆動電圧ｖ１２であったが、クロストークＣＴ３によってソースラインＬ１３上の電圧変化の影響を受け、最終的には電圧ｖ１２+Δｖ３に変動する。結局、ソースラインＬ１２上の電圧Ｖ１２(t)は、所望の駆動電圧ｖ１２から電圧変動量Δｖ３だけずれてしまい、この結果、画像が劣化する。
【００３１】
また、ソースラインＬ１２上の電圧Ｖ１２(t)は電圧変動量Δｖ３だけ変動するので、ソースラインＬ１１上の電圧Ｖ１１(t)は、クロストークＣＴ２によってこの電圧変動量Δｖ３の影響を受け、電圧変動量Δｖ２だけ変動する。結局、ソースラインＬ１１は、クロストークＣＴ１によって電圧変動量Δｖ１だけ変動し、更にクロストークＣＴ２によって電圧変動量Δｖ２だけ変動する。
【００３２】
次に、ソースライン群Ｇ２に属しているソースラインＬ２１及びＬ２２上の電圧Ｖ２１(t)及びＶ２２(t)について考察する。
【００３３】
ソースラインＬ２１及びＬ２２上の電圧Ｖ２１(t)及びＶ２２(t)は、先に説明したソースラインＬ１１及びＬ１２上の電圧Ｖ１１(t)及びＶ１２(t)とほぼ同様に説明することができる。ソースラインＬ２１上の電圧Ｖ２１(t)は、当初は駆動電圧ｖ２１であるが、時刻ｔ２において、ソースラインＬ２１とＬ２２との間のクロストークＣＴ４によって電圧変動量Δｖ４だけ変動する。一方、ソースラインＬ２２上の電圧Ｖ２２(t)は、当初は駆動電圧ｖ２２であるが、時刻ｔ３において、ソースラインＬ２２とＬ２３との間のクロストークＣＴ６によって電圧変動量Δｖ６だけ変動する。また、ソースラインＬ２１上の電圧Ｖ２１(t)は、時刻ｔ３において、ソースラインＬ２１とＬ２２との間のクロストークＣＴ５によって変動する。ここで、ソースラインＬ２１は、ソースラインＬ２２だけでなく、ソースラインＬ１３にも隣接していることに注意されたい。従って、ソースラインＬ２１上の電圧Ｖ２１(t)は、時刻ｔ３において、ソースラインＬ１３とＬ２１との間のクロストークＣＴ７によっても変動する。即ち、ソースラインＬ２１上の電圧Ｖ２１(t)は、クロストークＣＴ５及びＣＴ７によって、ソースラインＬ２２上の電圧変動とソースラインＬ１３上の電圧変化との両方の影響を受ける。具体的には、ソースラインＬ２１上の電圧Ｖ２１(t)は、クロストークＣＴ５によって電圧変動量Δｖ５’だけ変動し、クロストークＣＴ７を通じて電圧変動量Δｖ５”だけ変動する。この結果、ソースラインＬ２１上の電圧Ｖ２１(t)は、時刻ｔ３において電圧変動量Δｖ５（＝Δｖ５’＋Δｖ５”）だけ変動する。
【００３４】
従って、ソースラインＬ２１上の電圧Ｖ２１(t)は、最初は駆動電圧ｖ２１であったが、最終的には電圧ｖ２１+Δｖ４＋Δｖ５になり、結局、ソースラインＬ２１上の電圧Ｖ２１(t)は、所望の駆動電圧ｖ２１から電圧Δｖ４+Δｖ５だけずれてしまい、画像が劣化する。
【００３５】
尚、上記の説明では、ソースライン上の電圧がクロストークによって増加する様子が示されており、以下の説明でも、ソースライン上の電圧はクロストークによって増加するとして説明を続ける。しかしながら、ソースライン上の電圧は、隣りのソースラインに供給されるプリチャージ電圧と駆動電圧との大小関係等によっては、クロストークの影響を受けて減少する場合もあることに注意されたい。
【００３６】
ソースライン群Ｇ３乃至Ｇｍは、ソースライン群Ｇ２と同様の電圧変動を受ける。
【００３７】
上記のように、画像表示装置１０１は、ソースライン上の電圧がクロストークにより変動し、その結果、画像劣化が生じている。この画像劣化を防止するため、本発明に係る画像表示装置１（図１参照）は、ソースライン上の電圧がクロストークにより変動することを逆に利用している。具体的には、画像表示装置１は、ソースライン上の電圧の変動量を予測しておき、元々供給する予定であった電圧に対してこの変動量だけ異なる電圧を、補正電圧としてソースラインに供給するように構成されている。この補正電圧をソースラインに供給することによって、画像劣化を防止することが可能となる。以下に、斯かる補正電圧をどのようにして生成しているかについて説明する。
【００３８】
図１に示す画像表示装置１は、斯かる補正電圧を生成する目的で、信号処理部８にメモリ６及び補正部７を備えている。
【００３９】
図４は、信号処理部８を示す図である。
【００４０】
信号処理部８は、メモリ６及び補正部７を備えている。メモリ６は、画像信号Ｓｐの各画素データを一旦記憶する。補正部７は、メモリ６に一旦記憶された画素データを、クロストークによる電圧変動量を見越して補正し、斯かる補正された画素データをメモリ６に出力する。メモリ６はこの補正された画素データを記憶する。このようにしてメモリ６に、補正された画素データを記憶した後、メモリ６から、補正された画素データを有する画像信号Ｓｐ’が読み出され、斯かる画像信号Ｓｐ’がソースドライバ５（図１参照）に供給される。ソースドライバ５は、斯かる画像信号Ｓｐ’に基づいて、ビデオラインを通じて各ソースラインに電圧を供給する。従って、ソースドライバ５は、ソースラインに、所望の電圧からクロストークによる電圧変動量だけずれた電圧を供給するのであるが、ソースライン上の電圧は、クロストークによって変動するので、最終的には、所望の電圧に実質的に一致する。ただし、ソースライン上の電圧を所望の電圧に実質的に一致させるためには、補正部７は、画素データを、クロストークによって生じる電圧変動量に対応する補正量だけ補正する必要があることに注意すべきである。画素データの補正量が、クロストークによって生じる電圧変動量から大きくずれてしまうと、クロストークによって変動した後のソースライン上の電圧を、所望の電圧に実質的に一致させることはできない。そこで、補正部７において、以下のようにして、クロストークによって生じる電圧変動量を求めている。
【００４１】
図５は、クロストークによって生じる電圧変動量を求めるための説明図である。
【００４２】
図５には、ソースラインＬ１１、Ｌ１２及びＬ１３上の電圧Ｖ１１(t)、Ｖ１２(t)、及びＶ１３(t)の波形が概略的に示されている。先ず、ソースラインＬ１２上の電圧Ｖ１２(t)について考える。ソースラインＬ１２に駆動電圧ｖ１２を供給しても、ソースラインＬ１２とＬ１３との間のクロストークＣＴ３によって、ソースラインＬ１２上の電圧Ｖ１２(t)は、駆動電圧ｖ１２から電圧ｖ１２+Δｖ３に変動する。従って、ソースラインＬ１２上の電圧Ｖ１２(t)を最終的に所望の駆動電圧ｖ１２にするためには、ソースラインＬ１２に、駆動電圧ｖ１２の代わりに、以下の式（１）で表される補正電圧ｖ１２’を供給してやればよい。
ｖ１２’＝ｖ１２−Δｖ３ （１）
【００４３】
補正電圧ｖ１２’は、電圧変動量Δｖ３を補正量として用いて、駆動電圧ｖ１２を補正することによって得られる。補正電圧ｖ１２’を供給すると、ソースラインＬ１２上の電圧Ｖ１２(t)は、初めは所望の駆動電圧ｖ１２よりもΔｖ３だけ小さいが、クロストークＣＴ３により電圧変動が生じることによって、最終的には所望の駆動電圧ｖ１２に到達する。
【００４４】
ここで、電圧変動量Δｖ３は、時刻ｔ３におけるソースラインＬ１３上の電圧Ｖ１３(t)の電圧変化量ｖ１３（＝ｖ１３−ｖpre）と、寄生容量Ｃ１３及び液晶容量Ｃｂ（図１参照）とによって実質的に定まる量であることに注意されたい。寄生容量Ｃ１３は、ソースラインＬ１３と画素電極Ｅｇとの間に形成される容量であり、液晶容量Ｃｂは、共通電極９と画素電極Ｅｇとの間に形成される容量である。寄生容量Ｃ１３及び液晶容量Ｃｂはともに液晶材料の種類やソースラインの材料等から知ることができる既知の値であり、これら容量Ｃ１３及びＣｂは実質的に一定値と考えることができる値である。従って、電圧変動量Δｖ３は以下の式（２）によって計算することができる。
Δｖ３＝Ｋ１３×ｖ１３ （２）
【００４５】
但し、係数Ｋ１３は、寄生容量Ｃ１３及び液晶容量Ｃｂによって実質的に規定される一定値である。式（１）及び（２）によって補正電圧ｖ１２’を計算できるので、ソースラインＬ１２に補正電圧ｖ１２’を供給することが可能となる。
【００４６】
次に、ソースラインＬ１１上の電圧Ｖ１１(t)について考える。
【００４７】
ソースラインＬ１１に駆動電圧ｖ１１が供給されても、ソースラインＬ１１とＬ１２との間のクロストークＣＴ１によって、ソースラインＬ１１上の電圧Ｖ１１(t)は変動する。図３を参照すると、この電圧Ｖ１１(t)がクロストークＣＴ１によって電圧変動量Δｖ１だけ変動する様子が示されているが、この電圧変動量Δｖ１は、時刻ｔ２においてソースラインＬ１２に供給される電圧の値によって異なることに注意されたい。図３に示されている電圧変動量Δｖ１は、時刻ｔ２においてソースラインＬ１２に駆動電圧ｖ１２が供給されたときに得られる変動量である。ソースラインＬ１２に、駆動電圧ｖ１２の代わりに、式（１）及び（２）によって得られる補正電圧ｖ１２’が供給された場合、ソースラインＬ１１上の電圧Ｖ１１(t)は、図５に示すように、クロストークＣＴ１によって電圧変動量Δｖ１’だけ変動する。
【００４８】
更に、ソースラインＬ１１上の電圧Ｖ１１(t)は、時刻ｔ３においてクロストークＣＴ２により変動する。ここで、図５に示すように、ソースラインＬ１２に駆動電圧ｖ１２又は補正電圧ｖ１２’のどちらの電圧が供給されても、ソースラインＬ１２上の電圧Ｖ１２(t)は、時刻ｔ３において電圧変動量Δｖ３だけ変動することに注意されたい。従って、ソースラインＬ１２に補正電圧ｖ１２’が供給されても、ソースラインＬ１１上の電圧Ｖ１１(t)は、図３の場合と同様に、クロストークＣＴ２によりΔｖ２だけ変動する。最終的に、ソースラインＬ１１上の電圧Ｖ１１(t)は、駆動電圧ｖ１１から電圧ｖ１１+Δｖ１’＋Δｖ２に変動する。従って、ソースラインＬ１１上の電圧Ｖ１１(t)を最終的に所望の駆動電圧ｖ１１にするためには、ソースラインＬ１１に、駆動電圧ｖ１１の代わりに、以下の式（３）で表される補正電圧ｖ１１’を供給してやればよい。
ｖ１１’＝ｖ１１−（Δｖ１’＋Δｖ２） （３）
【００４９】
補正電圧ｖ１１’は、電圧変動量Δｖ１’とΔｖ２との和を補正量として用いて、駆動電圧ｖ１１を補正することによって得られる。補正電圧ｖ１１’を供給すると、ソースラインＬ１１上の電圧Ｖ１１(t)は、初めは所望の駆動電圧ｖ１１よりもΔｖ１’＋Δｖ２だけ小さいが、クロストークＣＴ１及びＣＴ２により電圧変動（Δｖ１’及びΔｖ２）が生じ、最終的には所望の駆動電圧ｖ１１に到達する。
【００５０】
ここで、電圧変動量Δｖ１’は、時刻ｔ２におけるソースラインＬ１２上の電圧Ｖ１２(t)の電圧変化量ｖ１２’（＝ｖ１２’−ｖpre）と、寄生容量Ｃ１２及び液晶容量Ｃａ（図１参照）とによって実質的に定まる量である。一方、電圧変動量Δｖ２は、時刻ｔ３におけるソースラインＬ１２上の電圧Ｖ１２(t)の電圧変動量Δｖ３と、寄生容量Ｃ１２及び液晶容量Ｃａ（図１参照）とによって実質的に定まる量である。寄生容量Ｃ１２は、ソースラインＬ１２と画素電極Ｅｆとの間に形成される容量であり、液晶容量Ｃａは、共通電極９と画素電極Ｅｆとの間に形成される容量である。従って、電圧変動量Δｖ１’及びΔｖ２は、それぞれ以下の式（４）及び（５）によって計算することができる。
Δｖ１’＝Ｋ１２× ｖ１２’
＝Ｋ１２×（ｖ１２−Δｖ３） （４）
Δｖ２ ＝Ｋ１２× Δｖ３ （５）
【００５１】
但し、係数Ｋ１２は、寄生容量Ｃ１２及び液晶容量Ｃａによって実質的に規定される一定値である。式（３）、（４）及び（５）によって補正電圧ｖ１１’を計算できるので、ソースラインＬ１１に補正電圧ｖ１１’を供給することが可能となる。
【００５２】
尚、ソースラインＬ１３上の電圧Ｖ１３(t)は、クロストークによる電圧変動を受けないので、ソースラインＬ１３には補正電圧を供給する必要はなく、駆動電圧ｖ１３をそのまま供給すればよい。
【００５３】
従って、ソースライン群Ｇ１に電圧を供給する場合、ソースラインＬ１３には補正電圧を供給する必要はないが、ソースラインＬ１１及びＬ１２には補正電圧を供給する必要がある。
【００５４】
以上の考察から、ソースラインＬ１１には、補正電圧ｖ１１’を供給し、ソースラインＬ１２には、補正電圧ｖ１２’を供給すればよいことがわかる。
【００５５】
次に、ソースライン群Ｇ２に供給する補正電圧について図６を参照しながら説明する。
【００５６】
図６には、ソースラインＬ１３、Ｌ２１、Ｌ２２及びＬ２３上の電圧Ｖ１３(t)、Ｖ２１(t)、Ｖ２２(t)及びＶ２３(t)の波形が概略的に示されている。先ず、ソースラインＬ２２上の電圧Ｖ２２(t)について考える。この電圧Ｖ２２(t)は、図５に示すソースラインＬ１２上の電圧Ｖ１２(t)と同様に考えることができる。即ち、電圧Ｖ２２(t)は、ソースラインＬ２３からのクロストークＣＴ６によって電圧変動量Δｖ６だけ変動し、その結果、駆動電圧ｖ２２から電圧ｖ２２+Δｖ６に変動する。従って、ソースラインＬ２２上の電圧Ｖ２２(t)を最終的に所望の駆動電圧ｖ２２にするためには、ソースラインＬ２２に、駆動電圧ｖ２２の代わりに、以下の式（６）で表される補正電圧ｖ２２’を供給してやればよい。
ｖ２２’＝ｖ２２−Δｖ６ （６）
【００５７】
補正電圧ｖ２２’は、電圧変動量Δｖ６を補正量として用いて、駆動電圧ｖ２２を補正することによって得られる。補正電圧ｖ２２’を供給すると、ソースラインＬ２２上の電圧Ｖ２２(t)は、初めは所望の駆動電圧ｖ２２よりもΔｖ６だけ小さいが、クロストークＣＴ６により電圧変動が生じることによって、最終的には所望の駆動電圧ｖ２２に到達する。尚、ソースラインＬ２２上の電圧ｖ２２(t)は、図６に示すように、クロストークＣＴ６によって電圧変動量Δ６だけ増加するので、補正電圧ｖ２２’は、式（６）に示すように、駆動電圧ｖ２２よりも電圧変動量Δ６だけ小さい値に規定されている。しかしながら、ソースラインＬ２２上の電圧Ｖ２２(t)がクロストークＣＴ６によって電圧変動量Δ６だけ減少するのであれば、補正電圧ｖ２２’は、駆動電圧ｖ２２よりも電圧変動量Δ６だけ大きい値に規定すればよい。
【００５８】
ここで、電圧変動量Δｖ６は、ソースラインＬ２３上の電圧Ｖ２３(t)の電圧変化量ｖ２３（＝ｖ２３−ｖpre）と、寄生容量Ｃ２３及び液晶容量Ｃｅ（図１参照）とによって実質的に定まる量であることに注意されたい。寄生容量Ｃ２３は、ソースラインＬ２３と画素電極Ｅｊとの間に形成される容量であり、液晶容量Ｃｅは、共通電極９と画素電極Ｅｊとの間に形成される容量である。従って、電圧変動量Δｖ６は以下の式（７）によって計算することができる。
Δｖ６＝Ｋ２３×ｖ２３ （７）
【００５９】
但し、係数Ｋ２３は、寄生容量Ｃ２３及び液晶容量Ｃｅによって実質的に規定される一定値である。式（６）及び（７）によって補正電圧ｖ２２’を計算できるので、ソースラインＬ２２に補正電圧ｖ２２’を供給することが可能となる。
【００６０】
次に、ソースラインＬ２１上の電圧Ｖ２１(t)について考える。ソースラインＬ２１に駆動電圧ｖ２１が供給されても、ソースラインＬ２２からのクロストークＣＴ４によって、ソースラインＬ２１上の電圧Ｖ２１(t)は変動する。図３を参照すると、この電圧Ｖ２１(t)がクロストークＣＴ４によって電圧変動量Δｖ４だけ変動する様子が示されているが、この電圧変動量Δｖ４は、時刻ｔ２においてソースラインＬ２２に供給される電圧の値によって異なることに注意されたい。図３に示されている電圧変動量Δｖ４は、時刻ｔ２においてソースラインＬ２２に駆動電圧ｖ２２が供給されたときに得られる変動量である。ソースラインＬ２２に、駆動電圧ｖ２２の代わりに、式（６）及び（７）によって得られる補正電圧ｖ２２’が供給された場合、ソースラインＬ２１上の電圧Ｖ２１(t)は、図６に示すように、クロストークＣＴ４によって、電圧変動量Δｖ４’だけ変動する。
【００６１】
更に、ソースラインＬ２１上の電圧Ｖ２１(t)は、時刻ｔ３においてクロストークＣＴ５及びＣＴ７により変動する。ここで、図６に示すように、ソースラインＬ２２に駆動電圧ｖ２２又は補正電圧ｖ２２’のどちらの電圧が供給されても、ソースラインＬ２２上の電圧Ｖ２２(t)は、時刻ｔ３において電圧変動量Δｖ６だけ変動することに注意されたい。従って、ソースラインＬ２２に補正電圧ｖ２２’が供給されても、ソースラインＬ２１上の電圧Ｖ２１(t)は、図３の場合と同様に、クロストークＣＴ５によりΔｖ５’だけ変動する。また、ソースラインＬ１３には駆動電圧ｖ１３がそのまま供給されるので、ソースラインＬ２１上の電圧Ｖ２１(t)は、図３の場合と同様に、クロストークＣＴ７によりΔｖ５”だけ変動する。最終的に、ソースラインＬ２１上の電圧Ｖ２１(t)は、駆動電圧ｖ２１から電圧ｖ２１+Δｖ４’＋Δｖ５に変動する。従って、ソースラインＬ２１上の電圧Ｖ２１(t)を最終的に所望の駆動電圧ｖ２１にするためには、ソースラインＬ２１に、駆動電圧ｖ２１の代わりに、以下の式（８）で表される補正電圧ｖ２１’を供給してやればよい。
ｖ２１’＝ｖ２１−（Δｖ４’＋Δｖ５） （８）
【００６２】
補正電圧ｖ２１’は、電圧変動量Δｖ４’とΔｖ５との和を補正量として用いて、駆動電圧ｖ２１を補正することによって得られる。補正電圧ｖ２１’を供給すると、ソースラインＬ２１上の電圧Ｖ２１(t)は、初めは所望の駆動電圧ｖ２１よりもΔｖ４’＋Δｖ５だけ小さいが、クロストークＣＴ４、ＣＴ５及びＣＴ７により電圧変動（Δｖ４’及びΔｖ５）が生じ、最終的には所望の駆動電圧ｖ２１に到達する。
【００６３】
ここで、電圧変動量Δｖ４’は、時刻ｔ２におけるソースラインＬ２２上の電圧Ｖ２２(t)の電圧変化量ｖ２２’（＝ｖ２２’−ｖpre）と、寄生容量Ｃ２２及び液晶容量Ｃｄ（図１参照）とによって実質的に定まる量である。また、電圧変動量Δｖ５’は、時刻ｔ３におけるソースラインＬ２２上の電圧Ｖ２２(t)の電圧変動量Δｖ６と、寄生容量Ｃ２２及び液晶容量Ｃｄ（図１参照）とによって実質的に定まる量である。更に、電圧変動量Δｖ５”は、時刻ｔ３におけるソースラインＬ１３上の電圧Ｖ１３(t)の電圧変化量ｖ１３と、寄生容量Ｃ２１及び液晶容量Ｃｃ（図１参照）とによって実質的に定まる量である。寄生容量Ｃ２１はソースラインＬ２１と画素電極Ｅｈとの間に形成される容量、寄生容量Ｃ２２はソースラインＬ２２と画素電極Ｅｉとの間に形成される容量、及び液晶容量Ｃｃは共通電極９と画素電極Ｅｈとの間に形成される容量である。従って、電圧変動量Δｖ４’、Δｖ５’及びΔｖ５”は、それぞれ以下の式（９）、（１０）及び（１１）によって計算することができる。
Δｖ４’＝Ｋ２２× ｖ２２’
＝Ｋ２２×（ｖ２２−Δｖ６） （９）
Δｖ５’＝Ｋ２２× Δｖ６ （１０）
Δｖ５”＝Ｋ２１× ｖ１３ （１１）
【００６４】
但し、係数Ｋ２１は、寄生容量Ｃ２１及び液晶容量Ｃｃによって実質的に規定される一定値、係数Ｋ２２は、寄生容量Ｃ２２及び液晶容量Ｃｄによって実質的に規定される一定値である。式（８）乃至（１１）によって補正電圧ｖ２１’を計算できるので、ソースラインＬ２１に補正電圧ｖ２１’を供給することが可能となる。
【００６５】
尚、ソースラインＬ２３上の電圧Ｖ２３(t)は、クロストークによる電圧変動を受けないので、ソースラインＬ２３には補正電圧を供給する必要はなく、駆動電圧ｖ２３をそのまま供給すればよい。
【００６６】
その他のソースライン群Ｇ３乃至Ｇｍに供給すべき補正電圧も、ソースライン群Ｇ２に供給すべき補正電圧と同様のやり方で求めることができる。
【００６７】
斯かる補正電圧を求めるために、図１に示す画像表示装置１は、補正部７に乗算部７ａ及び減算部７ｂを備えている。乗算部７ａは、クロストークにより変動する電圧の変動量を計算する。減算部７ｂは、乗算部７ａで計算した変動量を用いて画素データを補正する。以下に、補正部７が画素データを補正するやり方について詳細に説明する。
【００６８】
図４に示すように、画像信号Ｓｐの画素データＤ１１、Ｄ１２、・・・は、メモリ６に一旦書き込まれる。信号処理部８は、メモリ６に書き込まれた画素データをソースドライバ５に出力する前に、補正部７で補正する。補正部７は、図５及び図６を参照しながら説明した補正電圧がソースラインに供給されるようにするため、画素データを補正する。例えば、補正部７は、メモリ６に記憶された駆動電圧ｖ１２を表す画素データＤ１２を、補正電圧ｖ１２’（式（１）参照）を表す画素データＤ１２’に補正する。補正電圧ｖ１２’は、式（２）を式（１）に代入することによって計算される。この計算式は、以下の式（１’）で表される。
ｖ１２’＝ｖ１２−（Ｋ１３×ｖ１３） （１’）
【００６９】
更に、補正部７は、メモリ６に記憶された駆動電圧ｖ１１を表す画素データＤ１１を、補正電圧ｖ１１’（式（３）参照）を表す画素データＤ１１’に補正する。補正電圧ｖ１１’は、式（３）によって計算され、式（３）の右辺の第２項Δｖ１’及び第３項Δｖ２は、それぞれ式（４）及び（５）で表される。従って、式（４）及び（５）をそれぞれ計算し、この計算結果を式（３）に代入することによって、補正電圧ｖ１１’を求めることができる。このようにして補正電圧ｖ１１’を求めてもよいが、式（４）及び（５）をそれぞれ計算しなくても、もっと簡単に補正電圧ｖ１１’を計算することができる。補正電圧ｖ１１’をもっと簡単に計算するために、式（３）に式（４）及び（５）をそれぞれ代入してみる。
ｖ１１’＝ｖ１１−（Δｖ１’＋Δｖ２） （３）
＝ｖ１１−（Ｋ１２×（ｖ１２−Δｖ３）＋Ｋ１２×Δｖ３）
（∵式（４）及び（５）より）
＝ｖ１１−（Ｋ１２×ｖ１２） （３’）
【００７０】
補正電圧ｖ１１’は、式（３’）に示すように簡単に表されるので、式（４）及び（５）をそれぞれ計算しなくても、Ｋ１２×ｖ１２を補正量として計算し、計算されたＫ１２×ｖ１２を式（３’）に代入すれば、補正電圧ｖ１１’を求めることができる。
【００７１】
補正部７は、上記の式（３’）及び（１’）を用いて画素データＤ１１及びＤ１２を補正するために、以下のように動作する。
【００７２】
図７は、補正部７が上記の式（３’）及び（１’）に基づいて画素データＤ１１及びＤ１２を補正するやり方の一例の説明図である。
【００７３】
補正部７は、式（３’）に基づいて画素データＤ１１を補正する。この目的のため、メモリ６（図４参照）から画素データＤ１１が読み出されるのであるが、画素データＤ１１が読み出される前に、駆動電圧ｖ１２を表す画素データＤ１２が先に読み出され、この画素データＤ１２が時刻ｔａにおいて入力部Ｉｎ１から乗算部７ａに取り込まれる。また、メモリ６には、係数Ｋ１２を表す係数データＤk12が記憶されており、この係数データＤk12は、時刻ｔａにおいて入力部Ｉｎ２から乗算部７ａに取り込まれる。
【００７４】
乗算部７ａは、駆動電圧ｖ１２に係数Ｋ１２を乗算し、この結果、式（３’）の右辺第２項Ｋ１２×ｖ１２が求められる。このＫ１２×ｖ１２が、図５に示すΔｖ１’＋Δｖ２を表す。Δｖ１’＋Δｖ２（＝Ｋ１２×ｖ１２）が計算されたので、補正電圧ｖ１１’を求めるためには、式（３’）に示すように、ｖ１１からΔｖ１’＋Δｖ２（＝Ｋ１２×ｖ１２）を減算すればよい。この目的のため、計算されたΔｖ１’＋Δｖ２（＝Ｋ１２×ｖ１２）は乗算部７ａの出力部Ｏｕｔ１から出力され、時刻ｔｂにおいて入力部Ｉｎ３から減算部７ｂに取り込まれる。また、補正部７のスイッチＳＷが端子Ｔ１側に閉じ、メモリ６から駆動電圧ｖ１１を表す画素データＤ１１が読み出され、時刻ｔｂにおいてスイッチＳＷを通じて入力部Ｉｎ４から減算部７ｂに取り込まれる。減算部７ｂは、ｖ１１からＫ１２×ｖ１２を減算し、この結果、式（３’）が計算される。この補正電圧ｖ１１’を表す画素データＤ１１’は出力部Ｏｕｔ２から出力され、メモリ６に記憶される。
【００７５】
このようにして、駆動電圧ｖ１１を表す画素データＤ１１が、補正電圧ｖ１１’を表す画素データＤ１１’に補正される。
【００７６】
また、補正部７は、式（１’）に基づいて画素データＤ１２を補正する。この目的のため、メモリ６から画素データＤ１２が読み出されるのであるが、画素データＤ１２が読み出される前に、メモリ６から駆動電圧ｖ１３を表す画素データＤ１３が先に読み出され、この画素データＤ１３が時刻ｔｄにおいて入力部Ｉｎ１から乗算部７ａに取り込まれる。また、メモリ６には、係数Ｋ１３を表す係数データＤk13が記憶されており、この係数データＤk13は、時刻ｔｄにおいて入力部Ｉｎ２から乗算部７ａに取り込まれる。
【００７７】
乗算部７ａは、駆動電圧ｖ１３に係数Ｋ１３を乗算し、この結果、式（１’）の右辺第２項Ｋ１３×ｖ１３が求められる。このＫ１３×ｖ１３が、図５に示す電圧変動量Δｖ３を表す。Δｖ３（＝Ｋ１３×ｖ１３）が計算されたので、補正電圧ｖ１２’を求めるためには、式（１’）に示すように、ｖ１２からΔｖ３（＝Ｋ１３×ｖ１３）を減算すればよい。この目的のため、計算されたΔｖ３（＝Ｋ１３×ｖ１３）は乗算部７ａの出力部Ｏｕｔ１から出力され、時刻ｔｅにおいて入力部Ｉｎ３から減算部７ｂに取り込まれる。また、メモリ６から駆動電圧ｖ１２を表す画素データＤ１２が読み出され、この画素データＤ１２は、時刻ｔｅにおいてスイッチＳＷを通じて入力部Ｉｎ４から減算部７ｂに取り込まれる。減算部７ｂは、ｖ１２からＫ１３×ｖ１３を減算し、この結果、式（１’）が計算される。この補正電圧ｖ１２’を表す画素データＤ１２’は出力部Ｏｕｔ２から出力され、メモリ６に記憶される。
【００７８】
以上のようにして、画素データＤ１１及びＤ１２は、それぞれ画素データＤ１１’及びＤ１２’に補正される。尚、駆動電圧ｖ１３を表す画素データＤ１３は補正する必要が無いので、補正されない。従って、メモリ６に記憶された画素データＤ１１’、Ｄ１２’及びＤ１３が読み出されてソースドライバ５に供給され、その結果、ソースラインＬ１１及びＬ１２には、それぞれ補正電圧ｖ１１’及びｖ１２’が供給され、ソースラインＬ１３には、駆動電圧ｖ１３が供給される。ソースラインＬ１１に供給された補正電圧ｖ１１’は、図５に示すように、クロストークＣＴ１及びＣＴ２による影響を受けて、最終的に駆動電圧ｖ１１に変動する。また、ソースラインＬ１２に供給された補正電圧ｖ１２’は、図５に示すように、クロストークＣＴ３による影響を受けて、最終的に駆動電圧ｖ１２に変動する。ソースラインＬ１３に供給された駆動電圧ｖ１３は変動せず、駆動電圧ｖ１３のままである。従って、各ソースラインＬ１１、Ｌ１２及びＬ１３上の電圧Ｖ１１(t)、Ｖ１２(t)及びＶ１３(t)は、いずれも、最終的に所望の駆動電圧ｖ１１、ｖ１２及びｖ１３に到達しており、画像の劣化が防止される。
【００７９】
同様に、補正部７は、メモリ６に記憶された駆動電圧ｖ２２を表す画素データＤ２２を、補正電圧ｖ２２’を表す画素データＤ２２’に補正する。補正電圧ｖ２２’は、式（７）を式（６）に代入することによって計算される。この計算式は、以下の式（６’）で表される。
ｖ２２’＝ｖ２２−（Ｋ２３×ｖ２３） （６’）
【００８０】
更に、補正部７は、メモリ６に記憶された駆動電圧ｖ２１を表す画素データＤ２１を、補正電圧ｖ２１’（式（８）参照）を表す画素データＤ２１’に補正する。（８）式の右辺の第２項Δｖ４’は式（９）で表され、第３項Δｖ５は、式（１０）及び（１１）の和で表されるので、式（９）、（１０）及び（１１）をそれぞれ計算し、この計算結果を式（８）に代入することによって、補正電圧ｖ２１’を求めることができる。このようにして補正電圧ｖ２１’を求めてもよいが、式（９）、（１０）及び（１１）をそれぞれ計算しなくても、もっと簡単に補正電圧ｖ２１’を計算することができる。補正電圧ｖ２１’をもっと簡単に計算するために、式（８）に式（９）、（１０）及び（１１）を代入してみる。
ｖ２１’＝ｖ２１−（Δｖ４’＋Δｖ５） （８）
＝ｖ２１−（Δｖ４’＋Δｖ５’＋Δｖ５”）
＝ｖ２１−[Ｋ２２×（ｖ２２−Δｖ６）
＋Ｋ２２×Δｖ６＋Ｋ２１×ｖ１３]
＝ｖ２１−（Ｋ２１×ｖ１３＋Ｋ２２×ｖ２２） （８’）
【００８１】
補正電圧ｖ２１’は、式（８’）に示すように簡単に表すことができる。ここで、Ｋ２１×ｖ１３＝Δｖ５”であり、Ｋ２２×ｖ２２＝Δｖ４’＋Δｖ５’である。従って、式（９）、（１０）及び（１１）をそれぞれ計算しなくても、（Ｋ２１×ｖ１３）及び（Ｋ２２×ｖ２２）を計算し、計算された（Ｋ２１×ｖ１３）及び（Ｋ２２×ｖ２２）を式（８’）に代入すれば、補正電圧ｖ２１’を求めることができる。
【００８２】
補正部７は、上記の式（８’）及び（６’）を用いて画素データＤ２１及びＤ２２を補正するために、以下のように動作する。
【００８３】
図８は、補正部７が上記の式（８’）及び（６’）に基づいて画素データＤ２１及びＤ２２を補正するやり方の一例の説明図である。
【００８４】
補正部７は、式（８’）に基づいて画素データＤ２１を補正する。補正部７は、式（８’）の（Ｋ２１×ｖ１３）及び（Ｋ２２×ｖ２２）を求めるために、先ず、メモリ６から駆動電圧ｖ１３を表す画素データＤ１３が読み出され、この画素データＤ１３が時刻ｔａにおいて入力部Ｉｎ１から乗算部７ａに取り込まれる。また、メモリ６には、係数Ｋ２１を表す係数データＤk21が記憶されており、この係数データＤk21は、時刻ｔａにおいて入力部Ｉｎ２から乗算部７ａに取り込まれる。
【００８５】
乗算部７ａは、駆動電圧ｖ１３に係数Ｋ２１を乗算し、この結果、Ｋ２１×ｖ１３が求められる。このＫ２１×ｖ１３が、図６に示すΔｖ５”を表す。Δｖ５”（＝Ｋ２１×ｖ１３）は乗算部７ａの出力部Ｏｕｔ１から出力され、時刻ｔｂにおいて入力部Ｉｎ３から減算部７ｂに取り込まれる。また、補正部７のスイッチＳＷが端子Ｔ１側に閉じ、メモリ６から駆動電圧ｖ２１を表す画素データＤ２１が読み出され、時刻ｔｂにおいてスイッチＳＷを通じて入力部Ｉｎ４から減算部７ｂに取り込まれる。減算部７ｂは、ｖ２１からΔｖ５”（＝Ｋ２１×ｖ１３）を減算し、この結果、式（１２）で表される中間補正電圧ｖmidが計算される。
ｖmid ＝ｖ２１−Δｖ５”
＝ｖ２１−Ｋ２１×ｖ１３ （∵式（１１）より） （１２）
【００８６】
この中間補正電圧ｖmidは、補正電圧ｖ２１’に一致しておらず、この補正電圧ｖ２１’よりもまだΔｖ４’＋Δｖ５’だけ大きい。従って、補正電圧ｖ２１’を求めるためには、Δｖ４’＋Δｖ５’を計算し、中間補正電圧ｖmidからΔｖ４’＋Δｖ５’を減算する必要がある。そこで、Δｖ４’＋Δｖ５’を計算する。Δｖ４’＋Δｖ５’＝Ｋ２２×ｖ２２であるので、Δｖ４’＋Δｖ５’を計算するためにはＫ２２×ｖ２２を計算すればよい。この目的のため、時刻ｔｄにおいて、駆動電圧ｖ２２を表す画素データＤ２２が入力部Ｉｎ１から乗算部７ａに取り込まれ、一方、係数Ｋ２２を表す係数データＤk22が入力部Ｉｎ２から乗算部７ａに取り込まれる。
【００８７】
乗算部７ａは、駆動電圧ｖ２２に係数Ｋ２２を乗算し、この結果Ｋ２２×ｖ２２が求められる。Ｋ２２×ｖ２２が、Δｖ４’＋Δｖ５’（図６参照）を表す。この計算されたΔｖ４’＋Δｖ５’（＝Ｋ２２×ｖ２２）は乗算部７ａの出力部Ｏｕｔ１から出力され、時刻ｔｅにおいて入力部Ｉｎ３から減算部７ｂに取り込まれる。ここで、補正電圧ｖ２１’を求めるためには、中間補正電圧ｖmidからΔｖ４’＋Δｖ５’（＝Ｋ２２×ｖ２２）を減算すればよいことに再度注意されたい。この目的のため、スイッチＳＷは端子Ｔ２側に閉じ、出力部Ｏｕｔ２から出力された中間補正電圧ｖmidは、時刻ｔｅにおいてスイッチＳＷを通じて入力部Ｉｎ４から減算部７ｂに取り込まれる。減算部７ｂは、ｖmidからΔｖ４’＋Δｖ５’（＝Ｋ２２×ｖ２２）を減算し、この結果、以下の式に示すように補正電圧ｖ２１’が計算される。
ｖ２１’＝ｖmid−（Δｖ４’＋Δｖ５’）
＝（ｖ２１−Δｖ５”）−（Δｖ４’＋Δｖ５’） （∵式（１２）より）
＝ｖ２１−（Δｖ５”＋Δｖ４’＋Δｖ５’）
＝ｖ２１−（Δｖ４’＋Δｖ５） （８”）
【００８８】
式（８”）は、式（８）と同一になっていることが分かる。
【００８９】
この補正電圧ｖ２１’を表す画素データＤ２１’は時刻ｔｆにおいて出力部Ｏｕｔ２から出力され、メモリ６に記憶される。
【００９０】
このようにして、駆動電圧ｖ２１を表す画素データＤ２１が、補正電圧ｖ２１’を表す画素データＤ２１’に補正される。
【００９１】
更に、補正部７は、式（６’）に基づいて画素データＤ２２を補正する。この目的のため、メモリ６から駆動電圧ｖ２３を表す画素データＤ２３が読み出され、この画素データＤ２３が時刻ｔｇにおいて入力部Ｉｎ１から乗算部７ａに取り込まれる。また、メモリ６には、係数Ｋ２３を表す係数データＤk23が記憶されており、この係数データＤk23は、時刻ｔｇにおいて入力部Ｉｎ２から乗算部７ａに取り込まれる。
【００９２】
乗算部７ａは、駆動電圧ｖ２３に係数Ｋ２３を乗算し、この結果、式（６’）の右辺第２項Ｋ２３×ｖ２３が求められる。Ｋ２３×ｖ２３が、図６に示す電圧変動量Δｖ６を表す。Δｖ６（＝Ｋ２３×ｖ２３）が計算されたので、補正電圧ｖ２２’を求めるためには、式（６’）に示すように、ｖ２３からΔｖ６（＝Ｋ２３×ｖ２３）を減算すればよい。この目的のため、計算されたΔｖ６（＝Ｋ２３×ｖ２３）は乗算部７ａの出力部Ｏｕｔ１から出力され、時刻ｔｈにおいて入力部Ｉｎ３から減算部７ｂに取り込まれる。また、メモリ６から駆動電圧ｖ２２を表す画素データＤ２２が読み出され、この画素データＤ２２は、時刻ｔｈにおいてスイッチＳＷを通じて入力部Ｉｎ４から減算部７ｂに取り込まれる。減算部７ｂは、ｖ２２からΔｖ６（＝Ｋ１３×ｖ１３）を減算し、この結果、式（６’）が計算される。この補正電圧ｖ２２’を表す画素データＤ２２’は出力部Ｏｕｔ２から出力され、メモリ６に記憶される。
【００９３】
このようにして、駆動電圧ｖ２２を表す画素データＤ２２が、補正電圧ｖ２２’を表す画素データＤ２２’に補正される。
【００９４】
以上のようにして、画素データＤ２１及びＤ２２は、それぞれ画素データＤ２１’及びＤ２２’に補正される。尚、駆動電圧ｖ２３を表す画素データＤ２３は補正する必要が無いので、補正されない。従って、メモリ６に記憶された画素データＤ２１’、Ｄ２２’及びＤ２３が読み出されてソースドライバ５に供給され、その結果、ソースラインＬ２１及びＬ２２には、それぞれ補正電圧ｖ２１’及びｖ２２’が供給され、ソースラインＬ２３には、駆動電圧ｖ２３が供給される。ソースラインＬ２１に供給された補正電圧ｖ２１’は、図６に示すように、クロストークＣＴ４、ＣＴ５及びＣＴ７による影響を受けて、最終的に駆動電圧ｖ２１に変動する。また、ソースラインＬ２２に供給された補正電圧ｖ２２’は、クロストークＣＴ６による影響を受けて、最終的に駆動電圧ｖ２２に変動する。ソースラインＬ２３に供給された駆動電圧ｖ２３は変動せず、駆動電圧ｖ２３のままである。従って、各ソースラインＬ２１、Ｌ２２及びＬ２３上の電圧Ｖ２１(t)、Ｖ２２(t)及びＶ２３(t)は、いずれも、最終的に所望の駆動電圧ｖ２１、ｖ２２及びｖ２３に到達しており、画像の劣化が防止される。
【００９５】
尚、図１に示すメモリ６及び補正部７はプリント基板２上に備えられているが、必ずしもプリント基板２上に備える必要は無い。
【００９６】
また、一般的に、寄生容量Ｃ１２乃至Ｃ２３は実質的に等しいと考えることができ、液晶容量Ｃａ乃至Ｃｅも実質的に等しいと考えることができる。つまり、一般的に、上記係数Ｋ１２、Ｋ１３、Ｋ２１、Ｋ２２、Ｋ２３は、実質的に等しいと考えることができる。従って、乗算器７ａの入力部Ｉｎ１に入力される画素データに関わらず、乗算器７ａの入力部Ｉｎ２に常に同一の係数データを入力しても、十分な精度で補正電圧を求めることができることに注意されたい。
【００９７】
また、補正部７は、図４に示すような構造に限られず、種々の変形が可能である。
【００９８】
図９は、補正部７の変形例である。
【００９９】
図４の補正部７は、乗算部７ａを１つ備えているが、図９の補正部７は、図４の乗算部７ａと同一構造を有する２つの乗算部７ｃ及び７ｄを備えていることに注意されたい。図９の補正部７は、更に減算部７ｅを備えている。この減算部７ｅは、電圧を表す画素データを入力部Ｉｎ４から受け取り、乗算部７ｃ及び７ｄから出力された乗算結果をそれぞれ入力部Ｉｎ３及びIn７から受け取る。減算部７ｅは、入力部Ｉｎ４から受け取った画素データが表す電圧から、乗算部７ｃ及び７ｄの乗算結果をそれぞれ減算することによって補正電圧を算出する。
【０１００】
図９の補正部７は、２つの乗算部７ｃ及び７ｄを備えているので、図９の補正部７よりも占有面積は大きくなるが、演算時間を短縮することができ、補正電圧の計算時間の短縮化を図ることができる。例えば、図４の補正部７は、図８に示すように、Ｋ２１×ｖ１３（＝Δｖ５”）の計算をした後にＫ２２×ｖ２２（＝Δｖ４’＋Δｖ５’）の計算を行う必要があるので、これらの計算を同時に行うことができない。これに対して、図９の補正部７は、２つの乗算部７ｃ及び７ｄを備えているので、Δｖ５”の計算とΔｖ４＋Δｖ５’の計算とを同時に行うことができ、補正電圧の計算時間の短縮化が図られる。
【０１０１】
尚、補正部７は、電圧に係数を乗算する乗算処理を実行することによって補正量を求めているが、補正量は、乗算処理以外のやり方で求めてもよい。
【０１０２】
図１０は、本発明の第２実施例の画像表示装置１１を示す図である。
【０１０３】
画像表示装置１１は、図１に示す画像表示装置１と同様に、電子回路部４、３本の選択ラインＬslct１、Ｌslct２及びＬslct３、ｍ本のビデオラインＬｖ１、Ｌｖ２、…、Ｌｖｍを有している。更に、画像表示装置１１は、図１に示す画像表示装置１が備えているソースドライバ５とは異なる構造のソースドライバ２０を有している。ソースドライバ２０は、ＤＡ変換部２１と、ｍ個のビデオラインＬｖ１、Ｌｖ２、…、Ｌｖｍに対応してｍ個の補正部Ａ１、Ａ２、…、Ａｍとを有する。補正部Ａ１、Ａ２、…、Ａｍは、ＤＡ変換部２１から出力された電圧を補正して対応するビデオラインＬｖ１、Ｌｖ２、…、Ｌｖｍに出力する。画像表示装置１１は、ビデオラインＬｖ１、Ｌｖ２、…、Ｌｖｍに補正された電圧を供給することによって、クロストークによる画像劣化を防止又は低減している。もし、画像表示装置１１が補正部Ａ１、Ａ２、…、Ａｍを備えていなければ、各ソースライン上の電圧は、図３を参照しながら説明したように変動してしまうので、所望の電圧からずれてしまい、画像が劣化する。しかしながら、画像表示装置１１は補正部Ａ１、Ａ２、…、Ａｍを備えているので、図１の画像表示装置１と同様にソースラインに補正電圧を供給することができ、画像劣化が防止又は低減される。以下に、補正部Ａ１、Ａ２、…、Ａｍを有するソースドライバ２０が、どのようにしてビデオラインＬｖ１、Ｌｖ２、…、Ｌｖｍに補正電圧を供給しているのかについて説明する。
【０１０４】
図１１は、補正部Ａ１を示す回路図である。
【０１０５】
補正部Ａ１は入力部Ｉｎ１及びＩｎ２を備えている。補正部Ａ１は、入力部Ｉｎ２が受け取った電圧を用いて、入力部Ｉｎ１が受け取った電圧を補正する。補正部Ａ１の斯かる動作によって、ソースドライバ２０は、図１に示すソースドライバ５と同様に、ビデオラインＬｖ１に補正電圧ｖ１１’及びｖ１２’並びに駆動電圧ｖ１３を出力することができる。ソースドライバ２０が、斯かる補正電圧ｖ１１’及びｖ１２’並びに駆動電圧ｖ１３を出力できるようにするため、補正部Ａ１には以下のようにして電圧が入力される。
【０１０６】
図１２は、補正部Ａ１の各入力部Ｉｎ１及びＩｎ２に入力される電圧と、補正部Ａ１の出力部Ｏｕｔから出力される電圧とを示す図である。
【０１０７】
ソースラインＬ１１上の電圧Ｖ１１(t)を最終的に所望の駆動電圧ｖ１１にするためには、補正部Ａ１は補正電圧ｖ１１’を出力すればよい。補正電圧ｖ１１’は式（３’）で表され、従って、補正電圧ｖ１１’は、駆動電圧ｖ１１からＫ１２×ｖ１２を減算することによって得られることがわかる。Ｋ１２×ｖ１２は、駆動電圧ｖ１２に係数Ｋ１２を乗算することによって得られる。斯かる補正電圧ｖ１１’を得る目的で、図１２に示すように、時刻ｔａにおいて、ソースドライバ２１から入力部Ｉｎ１及びＩｎ２にそれぞれ駆動電圧ｖ１１及びｖ１２が供給される。
【０１０８】
入力部Ｉｎ１に入力された駆動電圧ｖ１１は、符号変換器ＯＰcによって符号が反転し、その結果、符号変換器ＯＰcから電圧−ｖ１１が出力される。従って、加算器ＯＰaには、電圧−ｖ１１及びｖ１２が入力され、その結果、時刻ｔｂにおいて、以下の式で表される補正電圧ｖ１１’が出力される。
ｖ１１’＝ｖ１１−（（Ｒ１／Ｒ２）×ｖ１２） （１３）
【０１０９】
ここで、式（１３）により規定される補正電圧ｖ１１’が式（３’）により規定される補正電圧ｖ１１’に実質的に等しくなるためには、式（１３）のＲ１／Ｒ２が式（３’）の係数Ｋ１２に実質的に等しいことが要求される。そこで、抵抗Ｒ１及びＲ２の値は、Ｒ１／Ｒ２が係数Ｋ１２に実質的に等しくなるように規定されている。従って、出力部Ｏｕｔから所望の補正電圧ｖ１１’が出力される。
【０１１０】
補正部Ａ１は、ソースラインＬ１１に供給すべき補正電圧ｖ１１’を出力した後、ソースラインＬ１２に供給すべき補正電圧ｖ１２’を出力しなければならない。補正電圧ｖ１２’は式（１’）で表され、従って、補正電圧ｖ１２’は、駆動電圧ｖ１２からＫ１３×ｖ１３を減算することによって得られることが分かる。Ｋ１３×ｖ１３は、駆動電圧ｖ１３に係数Ｋ１３を乗算することによって得られる。従って、斯かる補正電圧ｖ１２’を得る目的で、時刻ｔｃにおいて、ソースドライバ２１から入力部Ｉｎ１及びＩｎ２にそれぞれ駆動電圧ｖ１２及びｖ１３が供給される。
【０１１１】
入力部Ｉｎ１に入力された駆動電圧ｖ１２は、符号変換器ＯＰcによって符号が反転し、その結果、符号変換器ＯＰcから電圧−ｖ１２が出力される。従って、加算器ＯＰaには、電圧−ｖ１２及びｖ１３が入力され、その結果、時刻ｔｄにおいて、以下の式で表される補正電圧ｖ１２’が出力される。
ｖ１２’＝ｖ１２−（（Ｒ１／Ｒ２）×ｖ１３） （１４）
【０１１２】
式（１４）により規定される補正電圧ｖ１２’が式（１’）により規定される補正電圧ｖ１２’と実質的に等しくなるためには、式（１４）のＲ１／Ｒ２が式（１’）の係数Ｋ１３に実質的に等しくなければならない。ここで、式（１３）の説明において、Ｒ１／Ｒ２は係数Ｋ１２に実質的に等しいと記載したが、この係数Ｋ１２は実質的に係数Ｋ１３と等しいので、Ｒ１／Ｒ２は係数Ｋ１３にも実質的に等しいことに注意されたい。従って、出力部Ｏｕｔから所望の補正電圧ｖ１２’が出力される。
【０１１３】
補正部Ａ１は、ソースラインＬ１２に供給すべき補正電圧ｖ１２’を出力した後、ソースラインＬ１３に供給すべき駆動電圧ｖ１３を出力しなければならない。この駆動電圧ｖ１３は補正する必要が無いので、補正部Ａ１は、駆動電圧ｖ１３をそのまま出力する必要がある。そこで、時刻ｔｅにおいて、ソースドライバ２１から入力部Ｉｎ１に駆動電圧ｖ１３が供給されるとともに、入力部Ｉｎ２には基準電圧ｖrefが供給される。これによって、出力部Ｏｕｔから駆動電圧ｖ１３がそのまま出力される。
【０１１４】
以上のようにして、補正部Ａ１は、補正電圧ｖ１１’、ｖ１２’及び駆動電圧ｖ１３を順次に出力する。これら電圧ｖ１１’、ｖ１２’及びｖ１３は、それぞれソースラインＬ１１、Ｌ１２及びＬ１３に供給されるので、各ソースラインＬ１１、Ｌ１２及びＬ１３上の電圧は、最終的には所望の駆動電圧ｖ１１、ｖ１２及びｖ１３になり、画像劣化が防止又は低減される。
【０１１５】
次に、補正部Ａ２の動作について説明する。
【０１１６】
図１３は、補正部Ａ２を示す回路図である。
【０１１７】
補正部Ａ２は、入力部Ｉｎ１及びＩｎ２の他に入力部Ｉｎ３を有し、更に抵抗Ｒ３を有しているが、その他の構造は、図１１に示す補正部Ａ１と同じである。補正部Ａ２は、入力部Ｉｎ２及びＩｎ３が受け取った電圧を用いて、入力部Ｉｎ１が受け取った電圧を補正する。補正部Ａ２の斯かる動作によって、ソースドライバ２０は、図１に示すソースドライバ５と同様に、ビデオラインＬｖ２に補正電圧ｖ２１’及びｖ２２’並びに駆動電圧ｖ２３を出力することができる。ソースドライバ２０が、斯かる補正電圧ｖ２１’及びｖ２２’並びに駆動電圧ｖ２３を出力できるようにするため、補正部Ａ２には以下のようにして電圧が入力される。
【０１１８】
図１４は、補正部Ａ２の各入力部Ｉｎ１、Ｉｎ２及びＩｎ３に入力される電圧と、補正部Ａ２の出力部Ｏｕｔから出力される電圧とを示す図である。
【０１１９】
ソースラインＬ２１上の電圧Ｖ２１(t)を最終的に所望の駆動電圧ｖ２１にするためには、補正部Ａ２は補正電圧ｖ２１’を出力すればよい。補正電圧ｖ２１’は式（８’）で表され、従って、補正電圧ｖ２１’は、駆動電圧ｖ２１からＫ２１×ｖ１３及びＫ２２×ｖ２２を減算することによって得られることがわかる。Ｋ２１×ｖ１３は、駆動電圧ｖ１３に係数Ｋ２１を乗算し、Ｋ２２×ｖ２２は、駆動電圧ｖ２２に係数Ｋ２２を乗算することによって得られる。従って、補正電圧ｖ２１’を得る目的で、図１４に示すように、時刻ｔａにおいて、ソースドライバ２１から入力部Ｉｎ１、Ｉｎ２及びＩｎ３にそれぞれ駆動電圧ｖ２１、ｖ１３及びｖ２２が供給される。
【０１２０】
入力部Ｉｎ１に入力された駆動電圧ｖ２１は、符号変換器ＯＰcによって符号が反転し、その結果、符号変換器ＯＰcから電圧−ｖ２１が出力される。従って、加算器ＯＰaには、電圧−ｖ２１、ｖ１３、及びｖ２２が入力され、その結果、時刻ｔｂにおいて、以下の式で表される補正電圧ｖ２１’が出力される。
ｖ２１’＝ｖ２１−[（Ｒ１／Ｒ２）×ｖ１３＋（Ｒ１／Ｒ３）×ｖ２２] （１５）
【０１２１】
式（１５）により規定される補正電圧ｖ２１’が式（８’）に規定される補正電圧ｖ２１’に実質的に等しくなるためには、式（１５）のＲ１／Ｒ２が式（８’）の係数Ｋ２１に実質的に等しく且つ式（１５）のＲ１／Ｒ３が式（８’）の係数Ｋ２２に実質的に等しいことが要求される。そこで、抵抗Ｒ１、Ｒ２、及びＲ３の値は、Ｒ１／Ｒ２が係数Ｋ２１に実質的に等しく且つＲ１／Ｒ３が係数Ｋ２２に実質的に等しくなるように規定されている。従って、出力部Ｏｕｔから所望の補正電圧ｖ２１’が出力される。
【０１２２】
補正部Ａ２は、ソースラインＬ２１に供給すべき補正電圧ｖ２１’を出力した後、ソースラインＬ２２に供給すべき補正電圧ｖ２２’を出力しなければならない。補正電圧ｖ２２’は式（６’）で表され、従って、補正電圧ｖ２２’は、駆動電圧ｖ２２からＫ２３×ｖ２３を減算することによって得られることが分かる。Ｋ２３×ｖ２３は、駆動電圧ｖ２３に係数Ｋ２３を乗算することによって得られる。従って、補正電圧ｖ２２’を得る目的で、時刻ｔｃにおいて、ソースドライバ２１から入力部Ｉｎ１、Ｉｎ２及びＩｎ３にそれぞれ電圧ｖ２２、ｖref及びｖ２３が供給される。
【０１２３】
入力部Ｉｎ１に入力された駆動電圧ｖ２２は、符号変換器ＯＰcによって符号が反転し、その結果、符号変換器ＯＰcから電圧−ｖ２２が出力される。従って、加算器ＯＰaには、電圧−ｖ２２、ｖref及びｖ２３が入力され、その結果、時刻ｔｄにおいて、以下の式で表される補正電圧ｖ２２’が出力される。
ｖ２２’＝ｖ２２−（（Ｒ１／Ｒ３）×ｖ２３） （１６）
【０１２４】
式（１６）により規定される補正電圧ｖ２２’が式（６’）によって規定される補正電圧ｖ２２’と実質的に等しくなるためには、式（１６）のＲ１／Ｒ３が式（６’）の係数Ｋ２３に実質的に等しくなければならない。ここで、式（１５）の説明において、Ｒ１／Ｒ３は係数Ｋ２２に実質的に等しいと記載したが、この係数Ｋ２２は実質的に係数Ｋ２３と等しいので、Ｒ１／Ｒ３は係数Ｋ２３にも実質的に等しいことに注意されたい。従って、出力部Ｏｕｔから所望の補正電圧ｖ２２’が出力される。
【０１２５】
補正部Ａ２は、ソースラインＬ２２に供給すべき補正電圧ｖ２２’を出力した後、ソースラインＬ２３に供給すべき駆動電圧ｖ２３を出力しなければならない。この駆動電圧ｖ２３は補正する必要が無いので、補正部Ａ２は、駆動電圧ｖ２３をそのまま出力する必要がある。そこで、時刻ｔｅにおいて、ソースドライバ２１から入力部Ｉｎ１に駆動電圧ｖ２３が供給されるとともに、入力部Ｉｎ２及びＩｎ３には基準電圧ｖrefが供給される。これによって、出力部Ｏｕｔから駆動電圧ｖ２３がそのまま出力される。
【０１２６】
以上のようにして、補正部Ａ２は、補正電圧ｖ２１’、ｖ２２’及び駆動電圧ｖ２３を順次に出力する。これら電圧ｖ２１’、ｖ２２’及びｖ２３は、それぞれソースラインＬ２１、Ｌ２２及びＬ２３に供給されるので、各ソースラインＬ２１、Ｌ２２及びＬ２３上の電圧は、最終的には所望の駆動電圧ｖ２１、ｖ２２及びｖ２３になり、画像劣化が防止又は低減される。その他の補正部Ａ３乃至Ａｍも、補正部Ａ２と同様に説明することができる。
【０１２７】
尚、図１１及び図１３に示す補正部Ａ１及びＡ２は抵抗を用いて構成されているが、抵抗の代わりに容量を用いて構成することも可能である。
【０１２８】
上記のように、第１及び第２実施例では、ソースラインＬ１１上の電圧Ｖ１１(t)がクロストークＣＴ１によって電圧変動量Δｖ１’だけ変動する他に、クロストークＣＴ２によって電圧変動量Δｖ２だけ変動することも考慮して、補正電圧ｖ１１’が求められている（図５参照）。しかしながら、電圧変動量Δｖ２は、電圧変動量Δｖ１’と比較して十分に小さいので（例えば、Δｖ２の数十分の一）、補正電圧ｖ１１’として電圧変動量Δｖ２を無視した値を使用しても、補正電圧ｖ１１’は、最終的には所望の駆動電圧ｖ１１に実質的に等しくなる。従って、補正電圧ｖ１１’として、式（３）で表されるｖ１１−（Δｖ１’＋Δｖ２）の代わりに、電圧変動量Δｖ２を無視した以下の式（１７）を用いていもよい。
ｖ１１’＝ｖ１１−Δｖ１’ （１７）
【０１２９】
ただし、式（１７）では、駆動電圧ｖ１１の補正量Δｖ１’を求めるためには、駆動電圧ｖ１２の他に駆動電圧ｖ１３も用いる必要がある（式（４）及び（２）参照）。従って、補正量をより簡単に求めるには、駆動電圧ｖ１３を用いずに補正量を求めることができる式（３）（即ち式（３’））によって補正電圧ｖ１１’を計算することが好ましい。
【０１３０】
また、第１及び第２実施例では、ソースラインＬ２１上の電圧Ｖ２１(t)がクロストークＣＴ４及びＣＴ７によってそれぞれ電圧変動量Δｖ４’及びΔｖ５”だけ変動する他に、クロストークＣＴ５によって電圧変動量Δｖ５’だけ変動することを考慮して、補正電圧ｖ２１’が求められている。しかしながら、電圧変動量Δｖ５’は、電圧変動量Δｖ４’及びΔｖ５”と比較して十分に小さいので（例えば、Δｖ４’及びΔｖ５”の数十分の一）、補正電圧ｖ２１’として電圧変動量Δｖ５’を無視した値（即ち、）を使用しても、補正電圧ｖ２１’は、最終的には所望の駆動電圧ｖ２１に実質的に等しくなる。従って、補正電圧ｖ２１’として、ｖ２１−（Δｖ４’＋Δｖ５’＋Δｖ５”）の代わりに、電圧変動量Δｖ５’を無視した以下の式（１８）を用いていもよい。
ｖ２１’＝ｖ２１−（Δｖ４’＋Δｖ５”） （１８）
【０１３１】
ただし、式（１８）では、駆動電圧ｖ２１の補正量Δｖ４’＋Δｖ５”を求めるためには、駆動電圧ｖ１３及びｖ２２の他に駆動電圧ｖ２３も用いる必要がある（式（９）、（１１）及び（７）参照）。従って、補正量をより簡単に求めるには、駆動電圧ｖ２３を用いずに補正量を求めることができる式（８）（即ち式（８’））によって補正電圧ｖ２１’を計算することが好ましい。
【０１３２】
尚、図１０に示す補正部Ａ１乃至Ａｍはソースドライバ２０に備えられているが、必ずしもソースドライバ２０に備える必要は無い。
【０１３３】
図１５は、本発明の第３実施例の画像表示装置１２を示す図である。
【０１３４】
図１５には、画像表示装置１２のガラス基板２側の構造とプリント基板３側の構造が概略的に示されている。ガラス基板２側には、電子回路部４、ｍ本の選択ラインＬslct１、Ｌslct２、…、Ｌslctｍ、３本のビデオラインＬｖ１、Ｌｖ２、及びＬｖ３並びにソースドライバ３０等が備えられている。図１５に示す電子回路部４は、図１に示す画像表示装置１が備えている電子回路部４と同一構造を有する。プリント基板３側には、信号処理部８０等が備えられている。
【０１３５】
また、ガラス基板２上には、３本のビデオラインＬｖ１、Ｌｖ２、及びＬｖ３が形成されている。ビデオラインＬｖ１は、ソースライン群Ｇ１、Ｇ２、…、ＧｍのソースラインＬ１１、Ｌ２１、…Ｌｍ１に電圧を供給するために設けられている。ビデオラインＬｖ２は、ソースライン群Ｇ１、Ｇ２、…、ＧｍのソースラインＬ１２、Ｌ２２、…Ｌｍ２に電圧を供給するために設けられている。ビデオラインＬｖ３は、ソースライン群Ｇ１、Ｇ２、…、ＧｍのソースラインＬ１３、Ｌ２３、…Ｌｍ３に電圧を供給するために設けられている。ビデオラインＬｖ１、Ｌｖ２、及びＬｖ３からの電圧は、３つのトランジスタからなるスイッチ群ＳＷ１、ＳＷ２、…、ＳＷｍを通じて、それぞれソースライン群Ｇ１、Ｇ２、…、Ｇｍに供給される。スイッチ群ＳＷ１のトランジスタＴ１１、Ｔ１２及びＴ１３は、選択ラインＬslct１から供給される電圧によって選択的にオン状態及びオフ状態に設定される。以下、同様に、スイッチ群ＳＷ２のトランジスタＴ２１、Ｔ２２及びＴ２３は、選択ラインＬslct２から供給される電圧によって選択的にオン状態及びオフ状態に設定され、スイッチ群ＳＷｍのトランジスタＴｍ１、Ｔｍ２及びＴｍ３は、選択ラインＬslctｍから供給される電圧によって選択的にオン状態及びオフ状態に設定される。
【０１３６】
信号処理部８０は、隣接するソースライン間で生じるクロストークによる画像劣化を防止又は低減する目的で、受け取った画像信号Ｓｐを補正する。この補正された画像信号Ｓｐ’はソースドライバ３０に出力され、ソースドライバ３０は、この補正された画像信号Ｓｐ’に従って各ビデオラインＬｖ１、Ｌｖ２及びＬｖ３に電圧を出力する。従って、図１５に示す画像表示装置１２は、隣接するソースライン間で生じるクロストークによる画像劣化を防止又は低減することができる。これに対して、もし、画像表示装置１２が画像信号Ｓｐを補正せず、この画像信号Ｓｐをそのままソースドライバ３０に供給すると、隣接するソースライン間で生じるクロストークにより画像劣化が生じる。この画像劣化が生じる理由を説明するために、画像信号Ｓｐを補正することができない画像表示装置の動作について以下に考察する。
【０１３７】
図１６は、画像信号Ｓｐを補正しない構成の画像表示装置１０２を示す概略図である。
【０１３８】
図１６に示す画像表示装置１０２は、画像信号Ｓｐが補正されずにそのままソースドライバ３０に供給される点を除けば、図１５に示す画像表示装置１２と同じ構成である。
【０１３９】
図１７は、図１６に示す画像表示装置１０２のタイミングチャートを示す。
【０１４０】
図１７には、画像表示装置１０２が有するｎ本のゲートラインのうち、ゲートラインＬｇ２にハイレベル電圧ＶgＨが供給されている間のタイミングチャートが示されている。ゲートラインＬｇ２に電圧ＶgＨが供給されている間に、ｍ本の選択ラインＬslct１乃至Ｌslctｍは、ハイレベル電圧ＶsＨ及びローレベル電圧ＶsＬが供給される。時刻ｔ１乃至ｔ２の間は選択ラインＬslct１にハイレベル電圧ＶsＨが供給され、時刻ｔ２乃至ｔ３の間は選択ラインＬslct２にハイレベル電圧ＶsＨが供給され、時刻ｔｍ乃至ｔｍ+１の間は選択ラインＬslctｍにハイレベル電圧ＶsＨが供給される。このように、選択ラインＬslct１乃至Ｌslctｍには、ハイレベル電圧ＶsＨが順番に供給されている。各スイッチ群ＳＷ１乃至ＳＷｍの３つのトランジスタは、対応する選択ラインに電圧ＶsＨが供給されている間オン状態になり、電圧ＶsＬが供給されている間オフ状態になる。選択ラインＬslct１乃至Ｌslctｍは、順番にハイレベル電圧ＶsＨが供給されているので、スイッチ群ＳＷ１乃至ＳＷｍは順番にオン状態になる。従って、選択ラインＬslct１上の電圧がハイレベル電圧ＶsＨの間（ｔ１乃至ｔ２）、ソースライン群Ｇ１はローインピーダンス状態ＬＩであるが、その他のソースライン群Ｇ２乃至Ｇｍはハイインピーダンス状態ＨＩである。また、選択ラインＬslct２上の電圧がハイレベル電圧ＶsＨの間（ｔ２乃至ｔ３）、ソースライン群Ｇ２はローインピーダンス状態ＬＩであるが、その他のソースライン群はハイインピーダンス状態ＨＩである。更に、選択ラインＬslctｍ上の電圧がハイレベル電圧ＶsＨの間（ｔｍ乃至ｔｍ+１）、ソースライン群Ｇｍはローインピーダンス状態ＬＩであるが、その他のソースライン群はハイインピーダンス状態ＨＩである。図１６に示す画像表示装置１０２は、どのソースライン群Ｇ１乃至Ｇｍにも同様のやり方で電圧を供給するので、以下では、代表して、２つのソースライン群Ｇ１及びＧ２にどのようにして電圧が供給されるかについて説明する。
【０１４１】
ソースドライバ３０は、予め、各ソースラインに、一斉にプリチャージ電圧ｖpreを供給する。このプリチャージ電圧ｖpreは、種々の値に設定することができるが、ここでは、ゼロ電圧とする。このように各ソースラインにプリチャージ電圧ｖpre（電圧ゼロ）を供給した後、先ず、ソースライン群Ｇ１が、ビデオラインＬｖ１、Ｌｖ２及びＬｖ３に接続されたローインピーダンス状態ＬＩ（時刻ｔ１乃至ｔ２）となる。即ち、ソースライン群Ｇ１の３つのソースラインＬ１１、Ｌ１２及びＬ１３が、それぞれビデオラインＬｖ１、Ｌｖ２及びＬｖ３に接続される。一方、ソースドライバ３０は、駆動電圧ｖ１１、ｖ１２及びｖ１３を表す画素データＤ１１、Ｄ１２及びＤ１３を受け取り、この画素データＤ１１、Ｄ１２及びＤ１３をＤＡ変換し、駆動電圧ｖ１１、ｖ１２及びｖ１３をそれぞれビデオラインＬｖ１、Ｌｖ２及びＬｖ３に出力する。駆動電圧ｖ１１、ｖ１２及びｖ１３は、それぞれソースラインＬ１１、Ｌ１２及びＬ１３を通じて画素電極Ｅｆ、Ｅｇ及びＥｈに供給されるべき電圧である。時刻ｔ１乃至ｔ２の間は、ソースライン群Ｇ１がローインピーダンス状態ＬＩであるので、駆動電圧ｖ１１、ｖ１２及びｖ１３は、それぞれソースラインＬ１１、Ｌ１２及びＬ１３に供給される。従って、ソースラインＬ１１、Ｌ１２及びＬ１３上の電圧Ｖ１１(t)、Ｖ１２(t)及びＶ１３(t)は、時刻ｔ１において、プリチャージ電圧ｖpreからそれぞれ駆動電圧ｖ１１、ｖ１２及びｖ１３に変化する。
【０１４２】
次に、ソースライン群Ｇ２が、ビデオラインＬｖ１乃至Ｌｖ３に接続されたローインピーダンス状態ＬＩ（時刻ｔ２乃至ｔ３）となる。一方、ソースドライバ３０は、駆動電圧ｖ２１、ｖ２２及びｖ２３を表す画素データＤ２１、Ｄ２２及びＤ２３を受け取ってＤＡ変換し、駆動電圧ｖ２１、ｖ２２及びｖ２３をそれぞれビデオラインＬｖ１、Ｌｖ２及びＬｖ３に出力する。駆動電圧ｖ２１、ｖ２２及びｖ２３は、それぞれソースラインＬ２１、Ｌ２２及びＬ２３を通じて対応する画素電極に供給されるべき電圧である。時刻ｔ２乃至ｔ３の間は、ソースライン群Ｇ２がローインピーダンス状態ＬＩであるので、駆動電圧ｖ２１、ｖ２２及びｖ２３は、それぞれソースラインＬ２１、Ｌ２２及びＬ２３に供給される。従って、ソースラインＬ２１、Ｌ２２及びＬ２３上の電圧Ｖ２１(t)、Ｖ２２(t)、及びＶ２３(t)は、時刻ｔ２において、プリチャージ電圧ｖpreからそれぞれ駆動電圧ｖ２１、ｖ２２及びｖ２３に変化する。
【０１４３】
以上のようにして、各ソースラインに電圧が供給されるのであるが、ここで、ソースライン群Ｇ１のソースラインＬ１３上の電圧Ｖ１３(t)及びソースライン群Ｇ２のソースラインＬ２１上の電圧Ｖ２１(t)について考察する。
【０１４４】
ソースドライバ３０は、時刻ｔ１乃至ｔ２の間に、ビデオラインＬｖ３を通じてソースラインＬ１３に駆動電圧ｖ１３を供給するので、ソースラインＬ１３上の電圧Ｖ１３(t)は、Ｖ１３(t)＝ｖ１３になる。次に、ソースドライバ３０は、ソースラインＬ２１に駆動電圧ｖ２１を供給する目的で、時刻ｔ２乃至ｔ３の間に、ビデオラインＬｖ１に駆動電圧ｖ２１を出力する。時刻ｔ２において、ソースラインＬ２１（ソースライン群Ｇ２）はハイインピーダンス状態ＨＩからローインピーダンス状態ＬＩに変化するので、駆動電圧ｖ２１はソースラインＬ２１に供給され、ソースラインＬ２１上の電圧Ｖ２１(t)は、Ｖ２１(t)＝ｖ２１となる。また、駆動電圧ｖ２１はソースラインＬ２１用の電圧であるので、この駆動電圧ｖ２１がソースラインＬ１１に供給されないようにする必要がある。この目的のため、時刻ｔ２において、ソースラインＬ１３（ソースライン群Ｇ１）はローインピーダンス状態ＬＩからハイインピーダンス状態ＨＩに変化する。従って、ソースラインＬ１３に駆動電圧ｖ２１が供給されることが防止される。ただし、時刻ｔ２乃至ｔ３の間、ソースラインＬ２１（ソースライン群Ｇ２）がローインピーダンス状態ＬＩであるのに対して、ソースラインＬ１３（ソースライン群Ｇ１）はハイインピーダンス状態ＨＩであることに注意されたい。これは、ソースラインＬ１３が、ビデオラインＬｖ３から電気的に切り離されていることを意味するので、ビデオラインＬｖ３からソースラインＬ１３への電圧供給は停止されている。従って、ソースラインＬ１３上の電圧Ｖ１３(t)は、ソースラインＬ１３とＬ２１との間のクロストークＣＴ１によって変動する。ソースラインＬ２１上の電圧Ｖ２１(t)は、時刻ｔ２おいて、プリチャージ電圧ｖpre（電圧ゼロ）から駆動電圧ｖ２１に変化するので、この電圧Ｖ２１(t)は、時刻ｔ２において電圧変化量ｖ２１（＝ｖ２１−ｖpre）だけ変化する。従って、ソースラインＬ１３上の電圧Ｖ１３(t)は、時刻ｔ２において、ソースラインＬ２１上の電圧変化量ｖ２１に依存した電圧変動量Δｖ１だけ変動する。
【０１４５】
従って、ソースラインＬ１３上の電圧Ｖ１３(t)は、最初は所望の駆動電圧ｖ１３であったが、クロストークＣＴ１によってソースラインＬ２１上の電圧変化の影響を受けて電圧ｖ１３+Δｖ１に変動する。尚、ソースラインＬ１３上の電圧Ｖ１３(t)が時刻ｔ２において電圧変動量Δｖ１だけ変動するので、ソースラインＬ１２上の電圧Ｖ１２(t)は、クロストークＣＴ２を通じて電圧変動量Δｖ１の影響を受けて変動する。しかしながら、この場合、ソースラインＬ１２上の電圧Ｖ１２(t)の変動量は、電圧変動量Δｖ１の数十分の一から数百分の一であるので、十分無視できる値である。従って、ここでは、クロストークＣＴ２によるソースラインＬ１２上の電圧Ｖ１２(t)の変動は無視している。同様に、クロストークＣＴ３によるソースラインＬ１１上の電圧Ｖ１１(t)の変動も無視している。
【０１４６】
これまでは、ソースライン群Ｇ１での電圧変動について説明したが、ソースライン群Ｇ２での電圧変動も同様に考えることができる。ソースラインＬ２３上の電圧Ｖ２３(t)は、ソースライン群Ｇ３に属するソースラインＬ３１からのクロストークＣＴ４によって電圧変動量Δｖ２だけ変動する。他のソースライン群についても、同様に考えることができる。
【０１４７】
上記のように、画像表示装置１０２は、ソースライン上の電圧がクロストークにより変動し、その結果画像劣化が生じる。この画像劣化を防止するため、第３実施例の画像表示装置１２（図１５参照）は、第１及び第２実施例の画像表示装置１及び１１（図１及び図１０参照）と同様に、ソースライン上の電圧がクロストークにより変動することを逆に利用している。具体的には、画像表示装置１２は、ソースライン上の電圧の変動量を予測しておき、元々供給する予定であった電圧に対してこの変動量だけ異なる電圧を、補正電圧としてソースラインに供給するように構成されている。この補正電圧をソースラインに供給することによって、画像劣化を防止することが可能となる。以下に、斯かる補正電圧をどのようにして生成しているかについて説明する。
【０１４８】
図１５に示す画像表示装置１２は、斯かる補正電圧を生成する目的で、信号処理部８０にメモリ６及び補正部７０を備えている。
【０１４９】
図１８は、信号処理部８０の一例を示す図である。
【０１５０】
信号処理部８０は、メモリ６及び補正部７０を備えている。補正部７０は、入力部Ｉｎ４がスイッチＳＷを介さずにメモリ６に接続されている点を除けば、図４に示す補正部７と同一構造である。補正部７０は、図４に示す補正部７と同様に、画素データを、クロストークによって生じる電圧変動分だけ補正している。この目的のため、補正部７０では、以下のようにしてクロストークによって生じる電圧変動量を求めている。
【０１５１】
図１９は、クロストークによって生じる電圧変動量を求めるための説明図である。
【０１５２】
図１９には、ソースラインＬ１３上の電圧Ｖ１３(t)、及びソースラインＬ２１上の電圧Ｖ２１(t)の波形が概略的に示されている。先ず、ソースラインＬ１３上の電圧Ｖ１３(t)について考える。図１７を参照しながら説明したように、ソースラインＬ１３に駆動電圧ｖ１３を供給しても、ソースラインＬ１３とＬ２１との間のクロストークＣＴ１によって、ソースラインＬ１３上の電圧Ｖ１３(t)は、駆動電圧ｖ１３から電圧ｖ１３+Δｖ１に変動する。従って、ソースラインＬ１３上の電圧Ｖ１３(t)を最終的に所望の駆動電圧ｖ１３にするためには、ソースラインＬ１３に、駆動電圧ｖ１３の代わりに、以下の式（１９）で表される補正電圧ｖ１３’を供給してやればよい。
ｖ１３’＝ｖ１３−Δｖ１ （１９）
【０１５３】
補正電圧ｖ１３’を供給すると、ソースラインＬ１３上の電圧Ｖ１３(t)は、初めは所望の駆動電圧ｖ１３よりもΔｖ１だけ小さいが、クロストークＣＴ１により電圧変動が生じることによって、最終的には所望の駆動電圧ｖ１３に到達する。
【０１５４】
ここで、電圧変動量Δｖ１は、時刻ｔ２におけるソースラインＬ２１上の電圧Ｖ２１(t)の電圧変化量ｖ２１（＝ｖ２１−ｖpre）と、寄生容量Ｃ２１及び液晶容量Ｃｃ（図１６参照）とによって実質的に定まる量であることに注意されたい。寄生容量Ｃ２１は、ソースラインＬ２１と画素電極Ｅｈとの間に形成される容量であり、液晶容量Ｃｃは、共通電極９と画素電極Ｅｈとの間に形成される容量である。寄生容量Ｃ２１及び液晶容量Ｃｃはともに液晶材料の種類やソースラインの材料等から知ることができる既知の値であり、これら容量Ｃ２１及びＣｃは実質的に一定値と考えることができる値である。従って、電圧変動量Δｖ１は以下の式（２０）によって計算することができる。
Δｖ１＝Ｋ２１×ｖ２１ （２０）
【０１５５】
但し、係数Ｋ２１は、寄生容量Ｃ２１及び液晶容量Ｃｃによって実質的に規定される一定値である。式（１９）及び（２０）によって補正電圧ｖ１３’を計算できるので、ソースラインＬ１３に補正電圧ｖ１３’を供給することが可能となる。
【０１５６】
斯かる補正電圧を求めるために、図１５に示す画像表示装置１２は、図１８に示すように、補正部７０に乗算部７０ａ及び減算部７０ｂを備えている。乗算部７０ａは、クロストークにより変動する電圧の変動量を計算する。減算部７０ｂは、乗算部７０ａで計算した変動量を用いて画素データを補正する。以下に、補正部７０が画素データを補正するやり方について詳細に説明する。
【０１５７】
図１８に示すように、画像信号Ｓｐの画素データＤ１１、Ｄ１２、・・・は、メモリ６に一旦書き込まれる。信号処理部８０は、メモリ６に書き込まれた画素データをソースドライバ２０に出力する前に、補正部７０で補正する。補正部７０は、図１９を参照しながら説明した補正電圧がソースラインに供給されるようにするため、画素データを補正する。例えば、補正部７０は、メモリ６に記憶された駆動電圧ｖ１３を表す画素データＤ１３を、補正電圧ｖ１３’（式（１９）参照）を表す画素データＤ１３’に補正する。補正電圧ｖ１３’は、式（２０）を式（１９）に代入することによって計算される。この計算式は、以下の式（１７’）で表される。
ｖ１３’＝ｖ１３−Ｋ２１×ｖ２１ （１９’）
【０１５８】
補正部７０は、上記の式（１９’）を用いて画素データＤ１３を補正するために、以下のように動作する。
【０１５９】
図２０は、画素データＤ１３の補正のやり方の説明図である。
【０１６０】
補正部７０は、式（１９’）に基づいて画素データＤ１３を補正する。この目的のため、メモリ６（図１８参照）から駆動電圧ｖ２１を表す画素データＤ２１が読み出され、この画素データＤ２１が時刻ｔａにおいて入力部Ｉｎ１から乗算部７０ａに取り込まれる。また、メモリ６には、係数Ｋ２１を表す係数データＤk21が記憶されており、この係数データＤk21は、時刻ｔａにおいて入力部Ｉｎ２から乗算部７０ａに取り込まれる。
【０１６１】
乗算部７０ａは、駆動電圧ｖ２１に係数Ｋ２１を乗算し、この結果、式（１９’）の右辺第２項Ｋ２１×ｖ２１が求められる。このＫ２１×ｖ２１が図１９に示すΔｖ１を表す。Δｖ１（＝Ｋ２１×ｖ２１）が計算されたので、補正電圧ｖ１３’を求めるためには、式（１９’）に示すように、ｖ１３からΔｖ１（＝Ｋ２１×ｖ２１）を減算すればよい。この目的のため、計算されたΔｖ１（＝Ｋ２１×ｖ２１）は乗算部７０ａの出力部Ｏｕｔ１から出力され、時刻ｔｂにおいて入力部Ｉｎ３から減算部７０ｂに取り込まれる。また、メモリ６から駆動電圧ｖ１３を表す画素データＤ１３が読み出され、時刻ｔｂにおいて入力部Ｉｎ４から減算部７０ｂに取り込まれる。減算部７０ｂは、ｖ１３からＫ２１×ｖ２１を減算し、この結果、式（１９’）が計算される。この補正電圧ｖ１３’を表す画素データＤ１３’は出力部Ｏｕｔ２から出力され、メモリ６に記憶される。
【０１６２】
このようにして、駆動電圧ｖ１３を表す画素データＤ１３が、補正電圧ｖ１３’を表す画素データＤ１３’に補正される。尚、駆動電圧ｖ１１を表す画素データＤ１１及び駆動電圧ｖ１２を表す画素データＤ１２は補正する必要が無いので、補正されない。従って、画素データＤ１１、Ｄ１２及びＤ１３’がソースドライバ３０に供給され、その結果、ソースラインＬ１１及びＬ１２には、それぞれ駆動電圧ｖ１１及びｖ１２が供給され、ソースラインＬ１３には、補正電圧ｖ１３’が供給される。ソースラインＬ１１及びＬ１２に供給された駆動電圧ｖ１１及びｖ１２は実質的に変動せず、ソースラインＬ１３に供給された補正電圧ｖ１３’（＝ｖ１３−Δｖ１）は、クロストークＣＴ１による影響を受けて、最終的に駆動電圧ｖ１３に変動する。従って、各ソースラインＬ１１、Ｌ１２及びＬ１３上の電圧Ｖ１１(t)、Ｖ１２(t)及びＶ１３(t)は、いずれも、最終的に所望の駆動電圧ｖ１１、ｖ１２及びｖ１３に到達し、画像の劣化が防止される。
【０１６３】
ソースライン群Ｇ２乃至Ｇｍ−１にも、同様のやり方で電圧が供給される。尚、ソースライン群Ｇｍは、クロストークによる電圧変動は受けないので、ソースライン群Ｇｍに供給される電圧には補正処理をする必要がないことに注意されたい。
【０１６４】
図２１は、本発明の第４実施例の画像表示装置１３を示す図である。
【０１６５】
画像表示装置１３は、図１５に示す画像表示装置１２と同様に、電子回路部４、ｍ本の選択ラインＬslct１乃至Ｌslctｍ、３本のビデオラインＬｖ１、Ｌｖ２、及びＬｖ３を有している。更に、画像表示装置１３は、図１５に示す画像表示装置１２が備えているソースドライバ３０とは異なる構造のソースドライバ４０を有している。ソースドライバ４０は、ＤＡ変換部４１と、ビデオラインＬｖ３に対応して１個の補正部４２とを有する。ソースドライバ４０は、ビデオラインＬｖ１及びＬｖ２には、ＤＡ変換部４１から出力された電圧をそのまま供給するが、ビデオラインＬｖ３には、ＤＡ変換部４３から出力された電圧をそのまま供給せずに、補正部４２を経由させて供給する。画像表示装置１３は、ビデオラインＬｖ３に補正された電圧を供給することによって、クロストークによる画像劣化を防止又は低減している。もし、画像表示装置１３が補正部４２を備えていなければ、各ソースライン上の電圧は、図１７を参照しながら説明したように変動してしまうので、所望の電圧からずれてしまい、画像が劣化する。しかしながら、画像表示装置１３は補正部４２を備えているので、図１５の画像表示装置１２と同様にソースラインに補正電圧を供給することができ、画像劣化が防止又は低減される。補正部４２は、例えば、図１１に示す補正部Ａ１と同一構造とすることができる。補正部４２を図１１に示す構造とする場合、補正部４２には、以下のようにして電圧が入力される（図２２参照）。
【０１６６】
図２２は、補正部４２の各入力部Ｉｎ１及びＩｎ２に入力される電圧と、補正部４２の出力部Ｏｕｔから出力される電圧とを示す図である。
【０１６７】
ソースラインＬ１３上の電圧Ｖ１３(t)を最終的に所望の駆動電圧ｖ１３にするためには、補正部４２は補正電圧ｖ１３’を出力すればよい。補正電圧ｖ１３’は式（１９’）で表され、従って、補正電圧ｖ１３’は、駆動電圧ｖ１３からＫ２１×ｖ２１を減算することによって得られることがわかる。Ｋ２１×ｖ２１は、駆動電圧ｖ２１を係数Ｋ２１で乗算することによって得られる。従って、補正電圧ｖ１３’を得る目的で、図２２に示すように、時刻ｔａにおいて、入力部Ｉｎ１及びＩｎ２にそれぞれ駆動電圧ｖ１３及びｖ２１が供給される。
【０１６８】
入力部Ｉｎ１に入力された駆動電圧ｖ１３は、符号変換器ＯＰcによって符号が反転し、その結果、符号変換器ＯＰcから電圧−ｖ１３が出力される。従って、加算器ＯＰaには、電圧‐ｖ１３及びｖ２１が入力され、その結果、時刻ｔｂにおいて、以下の式で表される補正電圧ｖ１３’が出力される。
ｖ１３’＝ｖ１３−（（Ｒ１／Ｒ２）×ｖ２１） （２１）
【０１６９】
ここで、式（２１）により規定される補正電圧ｖ１３’が式（１９’）により求められる補正電圧ｖ１３’に実質的に等しくなるためには、式（２１）のＲ１／Ｒ２が式（１９’）の係数Ｋ２１に実質的に等しいことが要求される。そこで、抵抗Ｒ１及びＲ２の値は、Ｒ１／Ｒ２が係数Ｋ２１に実質的に等しくなるように規定される。従って、出力部Ｏｕｔから所望の補正電圧ｖ１３’が出力される。
【０１７０】
以下同様にして、補正部４２は、その他のソースライン群Ｇ２、Ｇ３、…のソースラインＬ２３、Ｌ３３、…に、補正電圧ｖ２３’、ｖ３３’、…を出力する。ただし、ソースライン群ＧｍのソースラインＬｍ３には、補正された電圧を供給する必要が無いので、補正部４２は、駆動電圧ｖｍ３を補正せずにそのままビデオラインＬｖ３に供給する必要がある。そこで、時刻ｔｅにおいて、入力部Ｉｎ１に駆動電圧ｖｍ３が供給されるとともに、入力部Ｉｎ２には基準電圧ｖrefが供給される。これによって、出力部Ｏｕｔから駆動電圧ｖｍ３がそのまま出力される。
【０１７１】
以上のようにして、補正部４４は、補正電圧ｖ１３’、ｖ２３’、…及び駆動電圧ｖｍ３を順次に出力し、これら電圧は対応するソースラインに供給される。従って、各ソースライン上の電圧は最終的には所望の電圧になり、画像劣化が防止又は低減される。
【０１７２】
尚、第３及び第４実施例では、クロストークＣＴ２及びＣＴ３（図１７参照）による電圧変動量が無視できるので、ソースラインＬ１１及びＬ１２には補正処理をせずに電圧が供給されている。しかしながら、クロストークＣＴ２及びＣＴ３による電圧変動量が無視できない場合は、クロストークＣＴ２及びＣＴ３による電圧変動量を考慮して補正電圧を求めればよい。斯かる補正電圧は、第１及び第２実施例において求められた補正電圧と同様にして、求めることができる。
【０１７３】
また、上記の第１乃至第４実施例では、各ソースラインに予めプリチャージ電圧が供給されているが、本発明は、各ソースラインにプリチャージ電圧は供給されなくてもよい。プリチャージ電圧が供給されない場合も、上記のようにして、駆動電圧を電圧変動量だけ補正することによって、画像の劣化を防止できる。
【０１７４】
更に、本発明では、ラインに補正電圧を供給することができるのであれば、上記の実施例においてハードウェアによって行われていた処理を、ソフトウェアによって行ってもよいし、ソフトウェアによって行われていた処理を、ハードウェアによって行ってもよいことに注意されたい。
【０１７５】
尚、上記の第１乃至第４実施例では、画素データを用いて補正電圧を生成する例が示されているが、本発明では、画素データ以外のデータを用いて補正電圧を生成する例にも適用できる。
【図面の簡単な説明】
【０１７６】
【図１】本発明の第１実施例の画像表示装置１を示す概略図である。
【図２】画像信号Ｓｐを補正しない構成の画像表示装置１０１を示す概略図である。
【図３】図２に示す画像表示装置１０１のタイミングチャートを示す。
【図４】信号処理部８を示す図である。
【図５】クロストークによって生じる電圧変動量を求めるための説明図である。
【図６】ソースラインＬ１３、Ｌ２１、Ｌ２２及びＬ２３上の電圧Ｖ１３(t)、Ｖ２１(t)、Ｖ２２(t)及びＶ２３(t)の波形の概略図である。
【図７】補正部７が上記の式（３’）及び（１’）に基づいて画素データＤ１１及びＤ１２を補正するやり方の一例の説明図である。
【図８】補正部７が上記の式（８’）及び（６’）に基づいて画素データＤ１１及びＤ１２を補正するやり方の一例の説明図である。
【図９】補正部７の変形例である。
【図１０】本発明の第２実施例の画像表示装置１１を示す図である。
【図１１】補正部Ａ１を示す回路図である。
【図１２】補正部Ａ１の各入力部Ｉｎ１及びＩｎ２に入力される電圧と、補正部Ａ１の出力部Ｏｕｔから出力される電圧とを示す図である。
【図１３】補正部Ａ２を示す回路図である。
【図１４】補正部Ａ２の各入力部Ｉｎ１、Ｉｎ２及びＩｎ３に入力される電圧と、補正部Ａ２の出力部Ｏｕｔから出力される電圧とを示す図である。
【図１５】本発明の第３実施例の画像表示装置１２を示す図である。
【図１６】画像信号Ｓｐを補正しない構成の画像表示装置１０２を示す概略図である。
【図１７】図１６に示す画像表示装置１０２のタイミングチャートを示す。
【図１８】信号処理部８０の一例を示す図である。
【図１９】クロストークによって生じる電圧変動量を求めるための説明図である。
【図２０】画素データＤ１３の補正のやり方の説明図である。
【図２１】本発明の第４実施例の画像表示装置１３を示す図である。
【図２２】補正部４２の各入力部Ｉｎ１及びＩｎ２に入力される電圧と、補正部４２の出力部Ｏｕｔから出力される電圧とを示す図である。
【図１】
2007523377.tif 000003
【図２】
2007523377.tif 000004
【図３】
2007523377.tif 000005
【図４】
2007523377.tif 000006
【図５】
2007523377.tif 000007
【図６】
2007523377.tif 000008
【図７】
2007523377.tif 000009
【図８】
2007523377.tif 000010
【図９】
2007523377.tif 000011
【図１０】
2007523377.tif 000012
【図１１】
2007523377.tif 000013
【図１２】
2007523377.tif 000014
【図１３】
2007523377.tif 000015
【図１４】
2007523377.tif 000016
【図１５】
2007523377.tif 000017
【図１６】
2007523377.tif 000018
【図１７】
2007523377.tif 000019
【図１８】
2007523377.tif 000020
【図１９】
2007523377.tif 000021
【図２０】
2007523377.tif 000022
【図２１】
2007523377.tif 000023
【図２２】
2007523377.tif 000024
【国際調査報告】
2007523377.tif 000025
2007523377.tif 000026
2007523377.tif 000027